(57)【要約】  表示制御部は、表示部が表示する、アプリケーション対応画像を含む第一表示画面を遷移させることによって、複数のアプリケーション対応画像を表示部に表示させることが可能な動作モードを有する。表示制御部は、当該動作モードにおいて、操作検出部が第一表示画面の遷移操作を検出したときには、当該第一表示画面を遷移させる。表示制御部は、当該動作モードにおいて、複数のアプリケーション対応画像のうちの特定のアプリケーション対応画像が目立つように、第一表示画面を表示部に表示させる表示モードを有する。表示制御部は、当該表示モードにおいて、操作検出部が検出する遷移操作に基づいて、当該表示モードを維持するか否かを決定する。
2015046379.tif 000002
【特許請求の範囲】
【請求項１】
アプリケーションプログラムを記憶する記憶部と、
表示を行う表示部と、
前記アプリケーションプログラムに対応付けられたアプリケーション対応画像を前記表示部に表示させる表示制御部と、
前記表示部に対する操作子による操作を検出する操作検出部と
を備え、
前記表示制御部は、前記表示部が表示する、前記アプリケーション対応画像を含む表示画面を遷移させることによって、複数のアプリケーション対応画像を前記表示部に表示させることが可能な動作モードを有し、
前記表示制御部は、前記動作モードにおいて、前記操作検出部が前記表示画面の遷移操作を検出したときには、前記表示画面を遷移させ、
前記表示制御部は、前記動作モードにおいて、前記複数のアプリケーション対応画像のうちの特定のアプリケーション対応画像が目立つように、前記表示画面を前記表示部に表示させる表示モードを有し、
前記表示制御部は、前記表示モードにおいて、前記操作検出部が検出する前記遷移操作に基づいて、前記表示モードを維持するか否かを決定する、電子機器。
【請求項２】
請求項１に記載の電子機器であって、
前記表示制御部は、前記動作モードにおいて、前記操作検出部が前記遷移操作を検出したときに、前記表示モードに移行する、電子機器。
【請求項３】
請求項１に記載の電子機器であって、
前記表示制御部は、前記動作モードにおいて、前記操作検出部が前記表示部に対する操作を検出していない状態で操作の開始を検出したときに、前記表示モードに移行する、電子機器。
【請求項４】
請求項１に記載の電子機器であって、
前記表示制御部は、前記遷移操作が、前記複数のアプリケーション対応画像に含まれる第一アプリケーション対応画像を起点とした操作であるときには、前記第一アプリケーション対応画像に関連する第二アプリケーション対応画像を、前記特定のアプリケーション対応画像とする、電子機器。
【請求項５】
請求項４に記載の電子機器であって、
前記第二アプリケーション対応画像は、前記第一アプリケーション対応画像に対応する第一アプリケーションプログラムと同じカテゴリに属する第二アプリケーションプログラムに対応する前記アプリケーション対応画像である、電子機器。
【請求項６】
請求項４に記載の電子機器であって、
前記第二アプリケーション対応画像は、前記第一アプリケーション対応画像に対応する第一アプリケーションプログラムが提供する第一情報を含む未読の第二情報が、提供する第三情報に含まれる第二アプリケーションプログラムに対応する前記アプリケーション対応画像である、電子機器。
【請求項７】
請求項６に記載の電子機器であって、
前記第一情報は、名前であって、
前記第二情報は、前記名前を含む不在着信情報、前記名前を含む受信メール情報及び前記名前を含む受信メッセージ情報のいずれか一つである、電子機器。
【請求項８】
請求項４に記載の電子機器であって、
前記第二アプリケーション対応画像は、前記第一アプリケーション対応画像と大きさが同じである前記アプリケーション対応画像である、電子機器。
【請求項９】
請求項４に記載の電子機器であって、
前記表示制御部は、前記複数のアプリケーション対応画像のなかに、前記第二アプリケーション対応画像が存在しない場合には、前記第二アプリケーション対応画像が存在しない旨を前記表示部に表示させる、電子機器。
【請求項１０】
請求項９に記載の電子機器であって、
前記表示制御部は、前記複数のアプリケーション対応画像のなかに、前記第二アプリケーション対応画像が存在しない場合には、前記第二アプリケーション対応画像が存在しない旨を前記表示部に表示させ、かつ前記表示画面を遷移させない、電子機器。
【請求項１１】
請求項１に記載の電子機器であって、
前記表示制御部は、前記遷移操作を行う前記操作子の数に関連付けられた第一アプリケーション対応画像を、前記特定のアプリケーション対応画像とする、電子機器。
【請求項１２】
請求項１１に記載の電子機器であって、
前記表示制御部は、前記遷移操作を行う前記操作子の数に応じて、前記第一アプリケーション対応画像を変化させる、電子機器。
【請求項１３】
請求項１１に記載の電子機器であって、
前記第一アプリケーション対応画像は、提供する情報に未読情報が含まれる前記アプリケーションプログラムに対応する前記アプリケーション対応画像である、電子機器。
【請求項１４】
請求項１１に記載の電子機器であって、
前記第一アプリケーション対応画像は、現在から所定時間前までに起動された前記アプリケーションプログラムに対応する前記アプリケーション対応画像である、電子機器。
【請求項１５】
請求項１１に記載の電子機器であって、
前記表示制御部は、前記複数のアプリケーション対応画像のなかに、前記第一アプリケーション対応画像が存在しない場合には、前記第一アプリケーション対応画像が存在しない旨を前記表示部に表示させる、電子機器。
【請求項１６】
請求項１５に記載の電子機器であって、
前記表示制御部は、前記複数のアプリケーション対応画像のなかに、前記第一アプリケーション対応画像が存在しない場合には、前記第一アプリケーション対応画像が存在しない旨を前記表示部に表示させ、かつ前記表示画面を遷移させない、電子機器。
【請求項１７】
請求項１に記載の電子機器であって、
前記表示制御部は、前記表示モードにおいて、前記操作検出部が、前記遷移操作が終了して前記表示部が操作されなくなってから所定時間内に新たな前記遷移操作を検出しないときには、前記表示モードを解除する、電子機器。
【請求項１８】
請求項１に記載の電子機器であって、
前記電子機器は、前記表示モードにおいて、前記操作検出部が、前記複数のアプリケーション対応画像における、前記特定のアプリケーション対応画像以外の第一アプリケーション対応画像を選択する選択操作を検出したときには、前記第一アプリケーション対応画像に対応する前記アプリケーションプログラムは起動しない、電子機器。
【請求項１９】
請求項１に記載の電子機器であって、
前記表示制御部は、一枚の表示対象画像内において前記表示部に表示する部分画像を変化させることによって前記表示画面を遷移させ、
前記表示制御部は、前記一枚の表示対象画像における、前記特定のアプリケーション対応画像が存在する範囲内において、前記表示部に表示する前記部分画像を変化させる、電子機器。
【請求項２０】
請求項１に記載の電子機器であって、
前記表示制御部は、前記表示モードにおいて、前記特定のアプリケーション対応画像の表示態様を変化させることによって、あるいは前記特定のアプリケーション対応画像以外の前記アプリケーション対応画像の表示態様を変化させることによって、前記特定のアプリケーション対応画像が目立つように前記表示画面を前記表示部に表示させる、電子機器。
【請求項２１】
請求項１に記載の電子機器であって、
前記表示制御部は、前記表示モードにおいて、前記特定のアプリケーション対応画像以外の前記アプリケーション対応画像が前記表示画面に含まれないようにすることによって、前記特定のアプリケーション対応画像が目立つように前記表示画面を前記表示部に表示させる、電子機器。
【請求項２２】
表示部と、アプリケーションプログラムを記憶する記憶部とを有する電子機器を制御するための制御プログラムであって、
前記電子機器に、
（ａ）前記表示部が表示する、アプリケーションプログラムに対応付けられたアプリケーション対応画像を含む表示画面を遷移させることによって、複数のアプリケーション対応画像を前記表示部に表示させることが可能な動作モードで動作させる工程と、
（ｂ）前記動作モードにおいて、前記複数のアプリケーション対応画像のうちの特定のアプリケーション対応画像が目立つように、前記表示画面を前記表示部に表示させる表示モードで動作させる工程と、
（ｃ）前記表示部に対する操作子による前記表示画面の遷移操作を検出する工程と、
（ｄ）前記動作モードにおいて前記工程（ｃ）で前記遷移操作が検出されたときに、前記表示画面を遷移させる工程と、
（ｅ）前記表示モードにおいて前記工程（ｃ）で検出される前記遷移操作に基づいて、前記表示モードを維持するか否かを決定する工程と
を実行させるための制御プログラム。
【請求項２３】
表示部と、アプリケーションプログラムを記憶する記憶部とを有する電子機器の動作方法であって、
（ａ）前記電子機器が、前記表示部が表示する、アプリケーションプログラムに対応付けられたアプリケーション対応画像を含む表示画面を遷移させることによって、複数のアプリケーション対応画像を前記表示部に表示させることが可能な動作モードで動作する工程と、
（ｂ）前記電子機器が、前記動作モードにおいて、前記複数のアプリケーション対応画像のうちの特定のアプリケーション対応画像が目立つように、前記表示画面を前記表示部に表示させる表示モードで動作する工程と、
（ｃ）前記電子機器が、前記表示部に対する操作子による前記表示画面の遷移操作を検出する工程と、
（ｄ）前記電子機器が、前記動作モードにおいて前記工程（ｃ）で前記遷移操作が検出されたときに、前記表示画面を遷移させる工程と、
（ｅ）前記電子機器が、前記表示モードにおいて前記工程（ｃ）で検出される前記遷移操作に基づいて、前記表示モードを維持するか否かを決定する工程と
を備える、電子機器の動作方法。
【発明の詳細な説明】
【技術分野】
【０００１】
本発明は、電子機器に関する。
【背景技術】
【０００２】
従来から電子機器に関して様々な技術が提案されている。
【発明の概要】
【発明が解決しようとする課題】
【０００３】
電子機器については、その操作性の向上が望まれている。
【課題を解決するための手段】
【０００４】
電子機器の一態様は、アプリケーションプログラムを記憶する記憶部と、表示を行う表示部と、前記アプリケーションプログラムに対応付けられたアプリケーション対応画像を前記表示部に表示させる表示制御部と、前記表示部に対する操作子による操作を検出する操作検出部とを備え、前記表示制御部は、前記表示部が表示する、前記アプリケーション対応画像を含む表示画面を遷移させることによって、複数のアプリケーション対応画像を前記表示部に表示させることが可能な動作モードを有し、前記表示制御部は、前記動作モードにおいて、前記操作検出部が前記表示画面の遷移操作を検出したときには、前記表示画面を遷移させ、前記表示制御部は、前記動作モードにおいて、前記複数のアプリケーション対応画像のうちの特定のアプリケーション対応画像が目立つように、前記表示画面を前記表示部に表示させる表示モードを有し、前記表示制御部は、前記表示モードにおいて、前記操作検出部が検出する前記遷移操作に基づいて、前記表示モードを維持するか否かを決定する。【０００５】
また、制御プログラムの一態様は、表示部と、アプリケーションプログラムを記憶する記憶部とを有する電子機器を制御するための制御プログラムであって、前記電子機器に、（ａ）前記表示部が表示する、アプリケーションプログラムに対応付けられたアプリケーション対応画像を含む表示画面を遷移させることによって、複数のアプリケーション対応画像を前記表示部に表示させることが可能な動作モードで動作させる工程と、（ｂ）前記動作モードにおいて、前記複数のアプリケーション対応画像のうちの特定のアプリケーション対応画像が目立つように、前記表示画面を前記表示部に表示させる表示モードで動作させる工程と、（ｃ）前記表示部に対する操作子による前記表示画面の遷移操作を検出する工程と、（ｄ）前記動作モードにおいて前記工程（ｃ）で前記遷移操作が検出されたときに、前記表示画面を遷移させる工程と、（ｅ）前記表示モードにおいて前記工程（ｃ）で検出される前記遷移操作に基づいて、前記表示モードを維持するか否かを決定する工程とを実行させるためのものである。【０００６】
また、電子機器の動作方法の一態様は、表示部と、アプリケーションプログラムを記憶する記憶部とを有する電子機器の動作方法であって、（ａ）前記電子機器が、前記表示部が表示する、アプリケーションプログラムに対応付けられたアプリケーション対応画像を含む表示画面を遷移させることによって、複数のアプリケーション対応画像を前記表示部に表示させることが可能な動作モードで動作する工程と、（ｂ）前記電子機器が、前記動作モードにおいて、前記複数のアプリケーション対応画像のうちの特定のアプリケーション対応画像が目立つように、前記表示画面を前記表示部に表示させる表示モードで動作する工程と、（ｃ）前記電子機器が、前記表示部に対する操作子による前記表示画面の遷移操作を検出する工程と、（ｄ）前記電子機器が、前記動作モードにおいて前記工程（ｃ）で前記遷移操作が検出されたときに、前記表示画面を遷移させる工程と、（ｅ）前記電子機器が、前記表示モードにおいて前記工程（ｃ）で検出される前記遷移操作に基づいて、前記表示モードを維持するか否かを決定する工程とを備える。
【発明の効果】
【０００７】
電子機器の操作性が向上する。【０００８】
この発明の目的、特徴、局面、及び利点は、以下の詳細な説明と添付図面とによって、より明白となる。
【図面の簡単な説明】
【０００９】
【図１】電子機器の外観を示す前面図である。
【図２】電子機器の外観を示す裏面図である。
【図３】電子機器の電気的構成を示すブロック図である。
【図４】電子機器の表示例を示す図である。
【図５】電子機器に表示される画像について説明するための図である。
【図６】電子機器に表示される画像について説明するための図である。
【図７】電子機器の表示例を示す図である。
【図８】電子機器の表示例を示す図である。
【図９】電子機器の機能的な構成を示す図である。
【図１０】電子機器の処理の概要を説明するための図である。
【図１１】電子機器の表示例を示す図である。
【図１２】電子機器の処理の流れを説明するための図である。
【図１３】電子機器での処理を説明するための図である。
【図１４】電子機器の処理の流れを説明するための図である。
【図１５】電子機器での処理を説明するための図である。
【図１６】電子機器の処理の流れを説明するための図である。
【図１７】電子機器での処理を説明するための図である。
【図１８】電子機器の処理の流れを説明するための図である。
【図１９】電子機器での処理を説明するための図である。
【図２０】電子機器での処理を説明するための図である。
【図２１】電子機器での処理を説明するための図である。
【図２２】電子機器の処理の流れを説明するための図である。
【図２３】電子機器での処理を説明するための図である。
【図２４】電子機器での処理を説明するための図である。
【図２５】電子機器の処理の流れを説明するための図である。
【図２６】電子機器での処理を説明するための図である。
【図２７】電子機器での処理を説明するための図である。
【図２８】電子機器の表示例を示す図である。
【図２９】電子機器の表示例を示す図である。
【図３０】電子機器の表示例を示す図である。
【図３１】電子機器の表示例を示す図である。
【図３２】電子機器の表示例を示す図である。
【図３３】電子機器の表示例を示す図である。
【図３４】電子機器の表示例を示す図である。
【図３５】電子機器の表示例を示す図である。
【図３６】電子機器の表示例を示す図である。
【図３７】電子機器の表示例を示す図である。
【図３８】電子機器の表示例を示す図である。
【図３９】電子機器の表示例を示す図である。
【図４０】電子機器の表示例を示す図である。
【図４１】電子機器の表示例を示す図である。
【図４２】電子機器の表示例を示す図である。
【図４３】電子機器の表示例を示す図である。
【図４４】電子機器の表示例を示す図である。
【図４５】電子機器の表示例を示す図である。
【図４６】電子機器に表示される画像について説明するための図である。
【図４７】電子機器の表示例を示す図である。
【図４８】電子機器に表示される画像について説明するための図である。
【図４９】電子機器の表示例を示す図である。
【図５０】電子機器に表示される画像について説明するための図である。
【図５１】電子機器の表示例を示す図である。
【発明を実施するための形態】
【００１０】
＜＜電子機器の外観＞＞
図１，２は、それぞれ、実施の形態に係る電子機器１の外観を示す前面図及び裏面図である。本実施の形態に係る電子機器１は、例えば携帯電話機である。電子機器１は、基地局及びサーバー等を通じて他の通信装置と通信することが可能である。図１及び２に示されるように、電子機器１は、平面視において略長方形の板状形状である。電子機器１は、カバーパネル２とケース部分３とを備えている。
【００１１】
カバーパネル２は、図１に示されるように、表示領域２ａと、周縁領域２ｂと、操作キー４ａ，４ｂ，４ｃとを備えている。カバーパネル２は、例えば、透明のガラスあるいは透明のアクリル樹脂で形成されている。カバーパネル２の裏面側には、後述する表示装置１７及びタッチパネル１８が設けられている。
【００１２】
表示装置１７によって表示された文字、記号、図形、映像等の各種情報は、カバーパネル２における表示領域２ａを通してユーザに視認される。カバーパネル２における、表示領域２ａを取り囲む周縁領域２ｂは、例えばフィルム等が貼られることで黒色となっている。これにより、周縁領域２ｂでは表示装置１７による表示がユーザに視認されることはない。以後、カバーパネル２の表示領域２ａと表示装置１７とを合わせて「表示部１６」と呼ぶ。表示部１６で表示される情報は、電子機器の外部から視認される。
【００１３】
タッチパネル１８は、表示領域２ａ及び操作キー４ａ，４ｂ，４ｃに対する、指等の操作子による操作を受け付ける。本実施の形態においては、操作キー４ａ，４ｂ，４ｃは、ソフトウェアキーである。操作キー４ａは、例えば、表示部１６の表示を１つ前に戻すための操作キーである。操作キー４ｂは、例えば、表示部１６にスタート画面（初期画面）を表示させるための操作キーである。操作キー４ｃは、例えば、表示部１６に検索画面を表示させるための操作キーである。操作キー４ａには、当該操作キー４ａを表す図形あるいは文字などが印刷されている。同様に、操作キー４ｂには、当該操作キー４ｂを表す図形あるいは文字などが印刷されている。また、操作キー４ｃには、当該操作キー４ｃを表す図形あるいは文字などが印刷されている。操作キー４ａ，４ｂ，４ｃを表す図形あるいは文字などは、印刷するのではなく、表示装置１７に表示させてもよい。また、操作キー４ａ，４ｂ，４ｃを、ソフトウェアキーではなく、ハードウェアキーで構成してもよい。
【００１４】
図１に示されるように、カバーパネル２の上端部には、レシーバー穴５と前面側撮像部６とが設けられている。図２に示されるように、電子機器１の裏面には、裏面側撮像部８が設けられている。電子機器１の側面には、サイドキー７ａ，７ｂ，７ｃが設けられている。サイドキー７ａは、レシーバーから出力される音の音量を調節するための操作キーである。サイドキー７ｂは、電子機器１の起動を行うための操作キーである。つまり、サイドキー７ｂは、電子機器１の電源のオン／オフを行うための操作キーである。サイドキー７ｃは、裏面側撮像部８に撮像を実行させるための操作キーである。
【００１５】
＜＜電子機器の電気的構成＞＞
図３は、電子機器１の電気的構成を示すブロック図である。図３に示されるように、電子機器１には、制御部１０と、無線通信部１４と、表示部１６と、タッチパネル１８と、サイドキー７ａ，７ｂ，７ｃと、マイク１９と、レシーバー２０と、前面側撮像部６と、裏面側撮像部８とが設けられている。
【００１６】
制御部１０は、ＣＰＵ（Central Processing Unit）１１、ＤＳＰ（Digital Signal Processor）１２及び記憶部１３等を備えている。制御部１０は、電子機器１の他の構成要素を制御することによって、電子機器１の動作を統括的に管理する。
【００１７】
記憶部１３は、ＲＯＭ（Read Only Memory）及びＲＡＭ（Random Access Memory）等の、制御部１０（ＣＰＵ１１及びＤＳＰ１２）が読み取り可能な非一時的な記録媒体で構成されている。記憶部１３は、ＲＯＭ及びＲＡＭ以外の、コンピュータが読み取り可能な非一時的な記録媒体を備えていてもよい。記憶部１３には、電子機器１の動作、具体的には電子機器１が備える無線通信部１４、表示部１６等の各構成要素を制御するための制御プログラムであるメインプログラムＰｇ１と、複数のアプリケーションプログラムＰｇ２とが記憶されている。制御部１０の各種機能は、ＣＰＵ１１及びＤＳＰ１２が記憶部１３内の各種プログラムを実行することによって実現される。以後、アプリケーションプログラムを単に「アプリケーション」と呼ぶ。
【００１８】
本実施の形態では、電子機器１には、ＣＰＵ１１およびＤＳＰ１２がそれぞれ１つ設けられているが、複数のＣＰＵ１１が設けられてもよいし、複数のＤＳＰ１２が設けられてもよい。つまり、電子機器１には、少なくとも一つのＣＰＵ１１と、少なくとも一つのＤＳＰ１２が設けられてもよい。そして、少なくとも一つのＣＰＵ１１と少なくとも一つのＤＳＰ１２が互いに協働することで、電子機器１に係る各種機能が実現されてもよい。また、記憶部１３は、図３に例示される場合とは異なり、制御部１０に備えられていなくてもよい。つまり、記憶部１３は、制御部１０と別に設けられてもよい。
【００１９】
記憶部１３内には、アプリケーションＰｇ２として、例えば、他の携帯電話機と通話を行うための電話アプリケーションおよび電子メールの送受信を行うためのメールアプリケーションなどが記憶されている。メインプログラムＰｇ１の実行過程で、アプリケーションＰｇ２が読み込まれて実行されることで、通話およびメール送信といった機能が電子機器１で実現される。なお図３では、図面の煩雑さを避けるために、アプリケーションＰｇ２は一つだけ示されている。
【００２０】
無線通信部１４は、アンテナ１５を有している。無線通信部１４は、電子機器１とは別の携帯電話機あるいはインターネットに接続されたウェブサーバ等の通信装置との通信信号の送受信を、基地局等を介してアンテナ１５で行う。
【００２１】
表示部１６は、表示領域２ａと表示装置１７とを有している。表示装置１７は、例えば、液晶表示ディスプレイあるいは有機ＥＬディスプレイである。前述した通り、表示部１６では、表示装置１７によって表示された各種情報が、表示領域２ａを通して電子機器１の外部から視認される。
【００２２】
タッチパネル１８は、例えば、投影型静電容量方式のタッチパネルである。タッチパネル１８は、カバーパネル２の裏面に貼り付けられている。タッチパネル１８は、互いに対向配置されたシート状の二つの電極センサを備えている。ユーザが指等の操作子で表示部１６の表示領域２ａに対して接触すると、タッチパネル１８における、当該操作子と対向する部分の静電容量が変化する。そして、タッチパネル１８は、静電容量の変化に応じた電気的な信号を制御部１０に出力する。このように、タッチパネル１８は、操作子の表示部１６（表示領域２ａ）に対する接触を検出することができる。また、タッチパネル１８は、操作キー４ａ，４ｂ，４ｃに対する操作を検出して電気的な信号を制御部１０に送出する。タッチパネル１８は、表示部１６の表示領域２ａに対する操作子による操作を検出する操作検出部５０（後述の図１９参照）として機能する。なお、ユーザは、指以外の操作子、例えば、スタイラスペンなどの静電式タッチパネル用ペンで表示部１６を操作することによっても、電子機器１に対して各種指示を与えることができる。
【００２３】
本実施の形態では、タッチパネル１８の検出感度が高く設定されている。したがって、操作子が表示領域２ａに接触せずに近接している状態であっても、タッチパネル１８における、操作子と対向している部分の静電容量が変化する。よって、タッチパネル１８は、操作子の表示部１６（表示領域２ａ）に対する近接も検出することができる。つまり、タッチパネル１８は、操作子の表示部１６（表示領域２ａ）に対する接触及び近接を検出することができる。本実施の形態では、操作子が表示部１６（表示領域２ａ）に接触していることには、操作子が表示部１６に近接していることも含むものとする。したがって、タッチパネル１８が操作子の表示部１６に対する接触を検出することには、タッチパネル１８が操作子の表示部１６に対する近接を検出することも含まれる。
【００２４】
サイドキー７ａ，７ｂ，７ｃは、押下されることで、電気的な指示信号を制御部１０に出力する。マイク１９には、通話等の際にユーザの音声等が入力され、入力された音声等を電気的な信号に変換して制御部１０に出力する。レシーバー２０は、通話等の際に制御部１０から入力される電気的な音信号を音に変換して出力することにより、受話音をユーザに提供する。前面側撮像部６及び裏面側撮像部８は、静止画像及び動画像を撮像する。
【００２５】
＜＜表示領域に対する操作の種類について＞＞
ユーザが表示部１６に対して行う基本的な操作としては、例えば、タップ操作、スライド操作、フリック操作などがある。
【００２６】
タップ操作とは、操作子が表示部１６に接触してからすぐに当該表示部１６から離れる操作である。詳細には、タップ操作とは、操作子が表示部１６の表示領域２ａに接触してから所定時間以内にその接触位置あるいは近接位置で当該表示領域２ａから離れる操作である。ユーザは、表示部１６に対してタップ操作を行うことによって、例えば、表示部１６に表示されている、アプリケーションＰｇ２を実行するための画像を選択して、当該アプリケーションＰｇ２を電子機器１に実行させることができる。
【００２７】
スライド操作とは、操作子が表示部１６の表示領域２ａに接触した状態で移動する操作である。つまり、スライド操作とは、操作子が表示領域２ａにおいて移動する操作である。ユーザは、表示部１６に対してスライド操作を行うことによって、例えば、電子機器１に対して、表示部１６の表示をスクロールさせたり、表示部１６に表示されているページを別のページに切り替えさせたりすることができる。
【００２８】
フリック操作とは、表示部１６の表示領域２ａを操作子で払う操作である。詳細には、フリック操作とは、操作子が表示領域２ａに接触した状態で所定時間以内に所定距離以上移動して表示領域２ａから離れる操作である。ユーザは、表示部１６に対してフリック操作を行うことによって、例えば、電子機器１に対して、表示部１６の表示を当該フリック操作での操作子の移動方向にスクロールさせたり、表示部１６に表示されているページを別のページに切り替えさせたりすることができる。
【００２９】
なお、本実施の形態においては、スライド操作およびフリック操作を、遷移操作と呼ぶこともある。
【００３０】
＜＜初期画面モードについて＞＞
ここでは、電子機器１の起動直後もしくは操作キー４ｂが操作された時に電子機器１で実行される初期画面（スタート画面）モードについて説明する。初期画面モード実行時には、アプリケーションに対応付けられた画像（以後、「アプリケーション対応画像」と呼ぶこともある）が表示部１６に表示される。このアプリケーション対応画像に対してタップ操作が行われると、電子機器１では、当該アプリケーション対応画像に対応するアプリケーションが実行される。したがって、アプリケーション対応画像は、それに対応するアプリケーションを実行するための画像であると言える。アプリケーション対応画像は「タイル」もしくは「アイコン」と呼ばれることがある。以後、「画像」と言えば、特に断らない限り、アプリケーション対応画像を意味する。後で詳しく説明するが、画像には当該画像が対応するアプリケーションを示す図形等が含まれている。ユーザは、画像に含まれる図形等に基づいて、当該画像に対応するアプリケーションが何であるかを把握することができる。
【００３１】
図４は、初期画面モード実行時に表示部１６に表示される表示画面４０の一例を示す図である。本実施の形態では、表示部１６（表示領域２ａ）の全ての範囲に、表示画面４０が表示される場合について説明するが、当該表示画面４０とともに、アプリケーション対応画像を含まない画面が表示部１６に表示されてもよい。
【００３２】
表示画面４０には、画像２１，２２，２３，２４，２５が含まれている。画像２１は、電話アプリケーションに対応する画像である。例えば、ユーザが画像２１に対してタップ操作を行うことで、電子機器１では電話アプリケーションが実行される。画像２２は、メールアプリケーションに対応する画像である。画像２３は、他の通信装置とリアルタイムに短いメッセージのやりとりを行うインスタントメッセージアプリケーションに対応する画像である。画像２４は、電話帳に登録されている特定の名前（図４の例ではＡさん）と、電話帳において当該特定の名前に紐付けられた情報とを提供する電話帳アプリケーションに対応する画像である。例えば、ユーザが画像２４に対してタップ操作を行うと、電話帳において登録されている特定の名前（Ａさん）と、当該特定の名前に紐付けられた情報とが、表示部１６に表示される。電話帳アプリケーションは、電話帳に登録されている特定の名前と、電話帳において当該特定の名前に紐付けられた情報とを表示部１６に表示させるためのアプリケーションであると言える。画像２５は、設定した時刻になったことをユーザに知らせるためのアラームアプリケーションに対応する画像である。
【００３３】
＜初期画面モード実行時に表示される画像について＞
図４に示されるように、初期画面モード実行時に表示される各画像の大きさは均一ではない。画像の大きさの違いによる、画像に含まれる情報の違いについて図５を参照しながら説明する。本実施の形態では、画像の大きさの種類が例えば３種類である場合を例に挙げて説明する。なお、各画像の大きさ及び配置位置は、電子機器１の動作モードが、画像の大きさ及び配置位置を変更する設定モードである場合に、ユーザが任意に変更することができる。
【００３４】
図５は、メールアプリケーションに対応する画像２２を示す図である。図５には、メールアプリケーションに対応する、互いに異なる大きさの３つの画像（大きさが大きい方から順に画像２２Ｌ，２２Ｍ，２２Ｓとする）が示されている。
【００３５】
画像２２Ｌは、３つの画像２２Ｓ，２２Ｍ，２２Ｌの中で最も大きい画像である。画像２２Ｌの形状は、図５に示されるように、例えば、縦横比が１：２である横長の長方形となっている。画像２２Ｌには、メールアプリケーションを示す図形２２ａおよび文字情報２２ｂが含まれる。
【００３６】
画像に含まれる図形には、当該画像に対応するアプリケーションを示す図形が選ばれる。例えば、画像２２では、図５に示されるように、メールアプリケーションを象徴する便箋の図形２２ａが選ばれる。また、画像に含まれる文字情報は、当該画像に対応するアプリケーションの名称である。図５に示される文字情報２２ｂは「メール」である。ユーザは、画像に含まれる図形もしくは文字情報に基づいて、当該画像が対応しているアプリケーションが何であるかを認識することができる。
【００３７】
また、画像には、当該画像が対応しているアプリケーションを示す図形および文字情報の他に、当該画像に対応するメールアプリケーションの実行によって実現される機能の一部（以後、「アプリケーションの一部の機能」と呼ぶ）によって得られる文字情報が含められることもある。アプリケーションの一部の機能とは、例えばメールアプリケーションの実行によって実現される機能のうちのメール受信機能が挙げられる。また、アプリケーションの一部の機能によって得られる情報とは、例えばメールアプリケーション実行時における新着メールに関する情報である。画像２２Ｌには、図５に示されるように、受信した新着メールの数２２ｃと、最新の新着メールの送信者名２２ｄとが含まれている。
【００３８】
画像２２Ｍは、３つの画像２２Ｓ，２２Ｍ，２２Ｌにおいて中間的な大きさの画像である。画像２２Ｍの形状は、図５に示されるように、例えば、画像２２Ｌの横方向の長さを半分にした正方形となっている。また、画像２２Ｍは、図形２２ａと文字情報２２ｂと新着メール数２２ｃとを含んでいる。
【００３９】
画像２２Ｓは、３つの画像２２Ｓ，２２Ｍ，２２Ｌの中で最も小さい画像である。画像２２Ｓの形状は、図５に示されるように、例えば、画像２２Ｍの縦および横の長さを半分にした正方形となっている。画像２２Ｓは、図形２２ａと、新着メール数２２ｃとを含んでいる。
【００４０】
＜表示画面のスクロール（遷移）について＞
初期画面モード実行時では、少なくとも一つの画像を含む１枚の表示対象画像４１が生成される。そして、この表示対象画像４１の少なくとも一部が、表示部１６に表示される表示画面４０となる。表示対象画像４１に配置される画像の数が多い場合には、表示対象画像４１が大きくなることから、電子機器１は、表示対象画像４１を一度に表示部１６に表示することができなくなることがある。この場合には、図６に示されるように、表示部１６に表示される表示画面４０は、表示対象画像４１の一部で構成されることになる。つまり、この場合には、表示対象画像４１に含まれる複数の画像のうちの一部が表示画面４０に含まれないことがある。
【００４１】
図６では、表示対象画像４１に含まれる画像２１，２２，２３，２４，２５が、表示部１６で表示されており、表示画面４０に含まれている。一方で、表示対象画像４１に含まれる画像２６，２７は、表示部１６で表示されておらず、表示画面４０に含まれていない。画像２６は、前面側撮像部６もしくは裏面側撮像部８によって撮像を行うためのカメラアプリケーションに対応する画像である。画像２７は、電卓機能を実行するための電卓アプリケーションに対応する画像である。
【００４２】
このように、表示対象画像４１が一度に表示部１６に表示されない場合には、ユーザは、表示部１６に対して遷移操作（スライド操作、フリック操作）を行うことで、表示対象画像４１内において、表示部１６に表示される部分画像、つまり表示画面４０を構成する部分画像を変化させることができる。つまり、ユーザは、表示部１６に対して遷移操作を行うことで、表示対象画像４１内で表示画面４０を遷移させることができる。具体的には、表示対象画像４１において、表示部１６に現在表示されている部分画像（現在、表示画面４０となっている部分画像）を基準として、表示部１６に表示させたい部分画像（表示画面４０としたい部分画像）が存在する方向とは逆方向にユーザが遷移操作を行うことで、表示させたい部分画像を表示部１６に表示させることが可能となる。例えば、表示対象画像４１において、表示部１６に現在表示されている部分画像よりも下方向に存在する部分画像を表示部１６に表示させたい場合には、ユーザは表示部１６に対して上方向に遷移操作を行うことによって、表示対象画像４１での表示範囲が下方向に変化して、当該下方向に存在する部分画像が表示部１６に表示される。
【００４３】
図７は、スライド操作によって表示画面４０を遷移させたときの表示部１６の表示例を示す図である。図７では、スライド操作前の表示部１６（表示画面４０）が左側に示されており、スライド操作後の表示部１６（表示画面４０）が右側に示されている。図７の左側に示されるように、スライド操作が行われる前の表示部１６には、画像２１，２２，２３，２４，２５が表示されている。そして、図７に示されるように、表示部１６に対して、上方向にスライド操作が行われると、当該スライド操作によって操作子６０が動いた距離だけ、表示対象画像４１（図６）での表示範囲を下方向に移動させることができる。スライド操作による、表示対象画像４１での表示範囲の移動は、当該スライド操作での操作子６０の動きに合わせてリアルタイムに行われる。したがって、スライド操作が終了すると、表示対象画像４１での表示範囲の移動も止まり、表示部１６に表示される表示画面４０の遷移も止まる。図７の例では、スライド操作後の表示部１６には、画像２２，２３，２４，２５と、スライド操作前には表示されていなかった画像２６とが表示される。画像２１は、表示対象画像４１での表示範囲の位置が動いたことで非表示となり、表示画面４０には含まれない。
【００４４】
図８は、フリック操作によって表示画面４０を遷移させたときの表示部１６の表示例を示す図である。図８では、フリック操作前の表示部１６が左側に示されており、フリック操作による遷移が終了した後の表示部１６が右側に示されている。操作子６０でフリック操作が行われる前の表示部１６には、図７と同様に、画像２１，２２，２３，２４，２５が表示されている。そして、表示部１６に対して、上方向にフリック操作を行うことで、当該フリック操作において操作子６０が移動した速度に応じた量（距離）だけ、表示対象画像４１での表示範囲を下方向に移動させることができる。フリック操作による遷移では、操作子６０が移動した速度に応じて、表示対象画像４１での表示範囲の移動距離が決定する。そのため、フリック操作終了後（つまり、操作子６０が表示部１６から離れた後）であっても、表示対象画像４１での表示範囲が当該フリック操作に応じた移動距離を移動し終えるまでは、表示画面４０の遷移は終わらない。図８の例では、フリック操作による遷移が終了した後の表示部１６には、画像２３，２５，２６と、フリック操作前には表示されていない画像２６，２７とが表示される。画像２１，２２，２４は、表示対象画像４１での表示範囲の位置が動いたことで非表示となり、表示画面４０には含まれない。
【００４５】
初期画面モード実行時において、表示対象画像４１に含まれる画像の数が多い場合には、ユーザは、表示対象画像４１に含まれる複数の画像の中から目的となる画像を探さなければならず、作業負担が大きくなる。この問題の対応策の一つとして、利用シーンに応じて表示対象画像４１に含まれる画像の配置位置を変更させることで、画像を探す必要のある範囲を狭くすることが考えられる。しかし、表示対象画像４１における画像の配置は、ユーザが決めているものであり、ユーザが個々の使い勝手を考慮して決めた配置である。このような表示対象画像４１における画像の配置を、利用シーンに応じて変更させることは必ずしも得策とは言えない。それ故に、本実施の形態においては、以下に説明する機能ブロックおよび処理によって、表示画面４０の遷移中に特定の画像（強調表示対象画像４２）を目立つように表示部１６に表示する。
【００４６】
＜＜制御部の機能ブロックについて＞＞
制御部１０では、メインプログラムＰｇ１が実行されることによって、複数の機能ブロックが形成される。図９は、制御部１０に形成される複数の機能ブロックの一部を示す図である。図９に示されるように、制御部１０は表示制御部５１を備えている。
【００４７】
表示制御部５１は、操作検出部５０（タッチパネル１８）が検知した、表示部１６に対する操作子６０による操作に基づいて、表示部１６に画像や情報を表示させる。図１０は、表示制御部５１が、初期画面モードを実行しているときに行う処理の概要を説明するための図である。
【００４８】
図１０に示されるように、表示制御部５１は、初期画面モード５２を実行しているときには、操作検出部５０で検出された操作に基づいて、通常モード５３と強調表示モード５４との切り替えの制御を行う。表示制御部５１は、初期画面実行モードを開始すると、まず通常モード５３となる。なお、上述した遷移操作（スライド操作、フリック操作）による表示画面４０の遷移も、初期画面モード５２実行時において表示制御部５１が行う制御の一つである。
【００４９】
図１１は、通常モード５３時および強調表示モード５４時の表示部１６の表示例を示す図である。図１１の左側には、通常モード５３時の表示例が示されており、図１１の右側には強調表示モード５４時の表示例が示されている。図１１に示されるように、強調表示モード５４では、強調表示対象画像４２（図１１では、画像２２，２３）が目立つように表示される。したがって、ユーザは、強調表示モード５４によって目立つように表示された強調表示対象画像を確認することで、目的となる画像を探しやすくなる。一方で、通常モード５３では、強調表示モード５４とは異なり、強調表示対象画像が存在しない。つまり、表示対象画像４１に含まれる各画像は通常表示される。なお、強調表示モード５４において強調表示対象画像４２となる画像を選択する処理については、後で詳しく説明する。
【００５０】
＜＜表示制御部におけるモードの切り替え処理について＞＞
＜モードの切り替え処理＿第一実施形態＞
ここでは、表示制御部５１による通常モード５３と強調表示モード５４との切り替え処理について図１２に基づいて説明する。図１２は、モードの切り替え処理の第一実施形態における表示制御部５１の処理の流れを示す図である。図１２には、表示部１６にスライド操作が行われる場合の表示制御部５１の処理が示されている。
【００５１】
初期画面モード実行開始直後は、表示制御部５１は、通常モード５３で表示部１６への表示制御を行う（start）。そして、表示制御部５１は、操作子６０によってスライド操作が開始されたか否かを、操作検出部５０の検出結果から調べる（ステップＳ１）。操作検出部５０でスライド操作の開始が検出されていない場合には（ステップＳ１でＮｏ）、操作検出部５０でスライド操作の開始が検出されるまで、ステップＳ１の処理を繰り返し行う。
【００５２】
反対に、操作検出部５０でスライド操作の開始が検出された場合には（ステップＳ１でＹｅｓ）、表示制御部５１は、通常モード５３から強調表示モード５４に移行し、かつ操作検出部５０で検出されるスライド操作に基づいて表示画面４０を遷移させる（ステップＳ２）。
【００５３】
次に、表示制御部５１は、操作検出部５０でスライド操作が継続して検出されているか否かを調べる（ステップＳ３）。操作検出部５０でスライド操作が継続して検出されている場合には（ステップＳ３でＹｅｓ）、表示制御部５１は、強調表示モード５４の維持および操作検出部５０で検出されるスライド操作に基づいて表示画面４０の遷移を行い（ステップＳ４）、ステップＳ３の処理に戻る。反対に、操作検出部５０でスライド操作が継続して検出されていない場合、つまり操作検出部５０でスライド操作の終了が検出された場合には（ステップＳ３でＮｏ）、表示制御部５１は強調表示モード５４の解除（つまり、通常モード５３に移行）を行う（ステップＳ５）。
【００５４】
このように、スライド操作がされていないときに強調表示モード５４が解除されることで、本実施の形態では、ユーザが目的となる画像を見つけるために行う遷移操作を終えたときに、自動的に強調表示モード５４が解除される。
【００５５】
図１３は、操作検出部５０が検出したユーザ操作と、表示部１６の出力との関係を説明するための図である。図１３の横軸は、時間軸を示している。図１３の縦軸には、上から順にモードの状態（通常モード５３か強調表示モード５４か）、操作検出部５０で検出された操作、表示部１６の出力が示されている。
【００５６】
図１３に示されるように、操作検出部５０で操作子６０のスライド操作が検出されたときに（時刻ｂ）、通常モード５３から強調表示モード５４への移行が行われ、強調表示対象画像が目立つように表示される（強調表示される）。また、表示制御部５１は、操作検出部５０で検出されているスライド操作に基づいて、表示画面４０の遷移も行う。
【００５７】
そして、操作検出部５０でスライド操作が検出されなくなると（時刻ｃ）、表示制御部５１は、強調表示モード５４を解除するとともに、スライド操作に基づいて行われていた表示画面４０の遷移も終了する。
【００５８】
このように、第一実施形態によると、表示制御部５１は、表示画面４０を遷移させるためのスライド操作に基づいて、強調表示対象画像４２が目立つように表示される強調表示モード５４を維持するか否かを決定する。したがって、ユーザは、スライド操作を行うことで、表示画面４０の遷移中に強調表示対象画像４２を目立つようにすることが可能となる。その結果、ユーザは、表示対象画像４１に多くの画像が含まれている場合であっても、所望の画像を選択し易くなり、電子機器の操作性が向上する。
【００５９】
＜モードの切り替え処理＿第二実施形態＞
図１４は、モードの切り替え処理の第二実施形態における表示制御部５１の処理の流れを示す図である。上述した第一実施形態では、通常モード５３から強調表示モード５４への移行は、操作検出部５０でスライド操作が検出されたときに行われるのに対して、第二実施形態では、操作検出部５０で操作子による接触が検出されたときに行われる。
【００６０】
まず、表示制御部５１は、通常モード５３で表示部１６への表示制御を行う（start）。そして、表示制御部５１は、操作子６０が表示部１６に接触したか否かを、操作検出部５０の検出結果から調べる（ステップＳ６）。操作検出部５０で、操作子６０による表示部１６への接触が検出されていない場合には（ステップＳ６でＮｏ）、操作検出部５０で操作子６０による表示部１６への接触が検出されるまで、ステップＳ６の処理を繰り返し行う。
【００６１】
反対に、操作検出部５０で操作子６０による表示部１６への接触が検出された場合には（ステップＳ６でＹｅｓ）、表示制御部５１は、通常モード５３から強調表示モード５４に移行する（ステップＳ７）。
【００６２】
このように、第二実施形態では、操作検出部５０が操作を検出していない状態で操作の開始を検出したときに強調表示モード５４に移行するため、遷移操作が行われる前に強調表示対象画像４２を目立つようにすることができる。よって、ユーザは所望の画像をすぐに見付け易くなり、電子機器１の操作性がさらに向上する。
【００６３】
次に、表示制御部５１は、操作子６０によってスライド操作が開始されたか否かを、操作検出部５０の検出結果から調べる（ステップＳ８）。操作検出部５０でスライド操作の開始が検出された場合には（ステップＳ８でＹｅｓ）、表示制御部５１は、操作検出部５０で検出されるスライド操作に基づいて、表示画面４０を遷移させる（ステップＳ９）。そして、表示制御部５１は、操作子６０によって継続してスライド操作がされているか否かを、操作検出部５０の検出結果から調べる（ステップＳ３）。操作検出部５０でスライド操作が継続して検出されている場合には（ステップＳ３でＹｅｓ）、表示制御部５１は強調表示モード５４を維持し（ステップＳ１０）、ステップＳ９の処理に戻る。反対に、操作検出部５０でスライド操作が継続して検出されていない場合、つまり操作検出部５０でスライド操作の終了が検出された場合には（ステップＳ３でＮｏ）、表示制御部５１は、強調表示モード５４の解除を行う（ステップＳ５）。
【００６４】
ステップＳ８において、操作検出部５０でスライド操作の開始が検出されていない場合には（ステップＳ８でＹｅｓ）、表示制御部５１は操作子６０と表示部１６とが非接触であるか否かを、操作検出部５０の検出結果から調べる（ステップＳ１１）。ここで、操作子６０と表示部１６とが非接触であるとは、操作検出部５０（タッチパネル１８）が、操作子の表示部１６（表示領域２ａ）に対する接触及び近接を検出していなことを意味する。操作検出部５０で操作子６０と表示部１６とが非接触であることが検出された場合には（ステップＳ１１でＹｅｓ）、表示制御部５１は、強調表示モード５４の解除を行う（ステップＳ５）。反対に、操作検出部５０で操作子６０と表示部１６との接触が検出された場合には（ステップＳ１１でＮｏ）、ステップＳ８の処理に戻る。
【００６５】
ステップＳ８，Ｓ１１の処理によって、操作検出部５０でスライド操作の開始が検出されていない場合であっても、操作子６０と表示部１６とが非接触となるまでは、強調表示モード５４が解除されない。そのため、ユーザは、自分のペースで遷移操作を開始することができる。その結果、電子機器１の操作性がさらに向上する。
【００６６】
図１５は、第二実施形態における操作検出部５０が検出したユーザ操作と、表示部１６の出力との関係を説明するための図である。
【００６７】
図１５に示されるように、操作検出部５０で操作子６０と表示部１６との接触が検出されたときに（時刻ａ）、表示制御部５１は、通常モード５３から強調表示モード５４への移行を行う。そして、操作検出部５０で操作子６０のスライド操作が検出されると（時刻ｂ）、表示制御部５１は、操作検出部５０で検出されているスライド操作に基づいて、表示画面４０の遷移を行う。そのため、ユーザは、操作子６０を表示部１６に接触させてからスライド操作を開始するまでの間（つまり、時刻ａ〜時刻ｂ間）に、目立たせて表示された強調表示対象画像を確認することができる。
【００６８】
＜モードの切り替え処理＿第三実施形態＞
図１６は、モードの切り替え処理の第三実施形態における表示制御部５１の処理の流れを示す図である。上述した第一実施形態は、強調表示モード５４であるときに、操作検出部５０でスライド操作が検出されなくなると、当該強調表示モード５４の解除を行うのに対して、第三実施形態では、操作検出部５０で操作子６０と表示部１６とが非接触であることが検出されると強調表示モード５４の解除を行う。
【００６９】
なお、図１６のステップＳ１〜Ｓ４の処理は、モードの切り替え処理の第一実施形態（図１２のステップＳ１〜Ｓ４）と同じであるため、説明を省略する。
【００７０】
ステップＳ３の判定において、操作検出部５０でスライド操作が検出されない場合には（ステップＳ３でＮｏ）、表示制御部５１は、操作子６０と表示部１６とが接触しているか否かを、操作検出部５０の検出結果から調べる（ステップＳ１２）。
【００７１】
操作子６０と表示部１６とが接触している場合には（ステップＳ１２でＹｅｓ）、表示制御部５１は、操作子６０がスライド操作を開始したか否かを、操作検出部５０の検出結果から調べる（ステップＳ１３）。操作検出部５０で、スライド操作の開始が検出された場合には（ステップＳ１３でＹｅｓ）、ステップＳ２の処理に戻り、強調表示モード５４の維持およびスライド操作に基づいて表示画面４０の遷移を行う。反対に、操作検出部５０で、スライド操作の開始が検出されていない場合には（ステップＳ１３でＮｏ）、表示制御部５１は、ステップＳ１２の処理に戻り、操作子６０と表示部１６とが接触しているか否かを調べる。
【００７２】
一方、ステップＳ１２の判定において、操作子６０と表示部１６とが接触していない場合には（ステップＳ１２でＮｏ）、表示制御部５１は、強調表示モード５４を解除する（ステップＳ５）。つまり、第三実施形態においては、一旦、強調表示モード５４に移行すると、操作子６０と表示部１６とが非接触となるまで、強調表示モード５４は解除されない。
【００７３】
図１７は、第三実施形態における、操作検出部５０が検出したユーザ操作と、表示部１６の出力との関係を説明するための図である。図１７に示されるように、第三実施形態によると、操作子６０が表示部１６に接触したままスライド操作を止めた場合であっても（時刻ｃ〜時刻ｄ）、強調表示モード５４が解除されることはない。
【００７４】
このように、モードの切り替え処理の第三実施形態では、操作検出部５０で操作子６０と表示部１６とが非接触であることが検出されたときに、強調表示モード５４の解除が行われる。したがって、ユーザが画像の確認のためにスライド操作を止めた場合であっても強調表示モード５４が解除されることはなく、操作子６０と表示部１６とが非接触となった場合（つまり、ユーザが画像を探す作業が確実に終了したとき）に、強調表示モード５４が解除される。その結果、電子機器１の操作性が向上する。
【００７５】
＜モードの切り替え処理＿第四実施形態＞
図１８は、モードの切り替え処理の第四実施形態における表示制御部５１の処理の流れを示す図である。上述した第三実施形態では、操作子６０と表示部１６とが非接触になると強調表示モード５４の解除が行われるのに対して、第四実施形態では操作子６０と表示部１６とが非接触になった後に、所定時間以内に操作検出部５０で次のスライド操作が検出されない場合に強調表示モード５４の解除が行われる。
【００７６】
なお、図１８のステップＳ１〜Ｓ４，Ｓ１２，Ｓ１３の処理は、モードの切り替え処理の第三実施形態（図１６のステップＳ１〜Ｓ４，Ｓ１２，Ｓ１３）と同じであるため、説明を省略する。
【００７７】
ステップＳ１２の判定において、操作子６０と表示部１６とが接触していない場合には（ステップＳ１２でＮｏ）、表示制御部５１は、所定時間以内に操作子６０が表示部１６に対して新たなスライド操作を開始したか否かを、操作検出部５０の検出結果から調べる（ステップＳ１４）。つまり、ステップＳ１４では、スライド操作が終了して操作子６０と表示部１６とが非接触となってから所定時間以内に、新たなスライド操作が行われたか否かを調べている。言い換えれば、ステップＳ１４では、スライド操作が終了して表示部１６に操作が行われなくなってから所定時間以内に、新たなスライド操作が行われたか否かを調べている。
【００７８】
所定時間以内に操作子６０が表示部１６に対して新たなスライド操作が開始された場合には（ステップＳ１４でＹｅｓ）、ステップＳ２の処理に戻り、強調表示モード５４を維持およびスライド操作に基づいて表示画面４０の遷移を行う。反対に、所定時間以内に操作子６０が表示部１６に対して新たなスライド操作が開始されなかった場合には（ステップＳ１４でＮｏ）、表示制御部５１は、強調表示モード５４を解除する（ステップＳ５）。
【００７９】
図１９，２０は、第四実施形態における、操作検出部５０が検出したユーザ操作と、表示部１６の出力との関係を説明するための図である。
【００８０】
図１９に示されるように、第四実施形態によると、操作子６０が表示部１６に対するスライド操作を停止し表示部１６と非接触となった場合でも（時刻ｄ）、所定時間αが経過するまで（時刻ｅ＝時刻ｄ＋所定時間α）は、強調表示モード５４を維持する。
【００８１】
また、図２０に示されるように、操作子６０がスライド操作を終了し表示部１６と非接触となった後（時刻ｃ）から所定時間αが経過するまでの間（つまり、時刻ｃ〜時刻ｄ間）に、操作子６０が再度表示部１６と接触してスライド操作が開始された場合には、表示制御部５１は、強調表示モード５４を維持する。つまり、図２０の例では、表示制御部５１は、２回目のスライド操作が停止し操作子６０と表示部１６とが非接触となった時刻ｆから所定時間αが経過するまで（すなわち、１回目のスライド操作開示時刻ｂから時刻ｇまでの間）、強調表示モード５４を維持する。
【００８２】
このように、モードの切り替え処理の第四実施形態では、ユーザが１回の遷移操作によって、探しているアプリケーション対応画像を表示部に表示させることができなくても、所定時間α内に、もう一度遷移操作を行うことで、強調表示対象画像４２に選択された画像を変更することなく、目的となる画像を探す作業を継続することができる。その結果、電子機器１の操作性が向上する。
【００８３】
＜モードの切り替え処理＿第五実施形態＞
上述した第一〜第四実施形態では、操作子６０によるスライド操作に基づいて、強調表示モード５４の解除が行われる。しかし、強調表示モード５４の解除は、操作検出部５０が操作子６０による、画像以外の領域に対するタップ操作を検出したときに行われてもよい。
【００８４】
図２１は、第五実施形態における、操作検出部５０が検出したユーザ操作と、表示部１６の出力との関係を説明するための図である。図２１に示されるように、第五実施形態では、強調表示モード５４に移行されると（時刻ｂ）、操作検出部５０が、表示画面４０における、画像以外の領域に対するタップ操作を検出するまで（時刻ｄ）強調表示モード５４が維持される。
【００８５】
なお、表示画面４０に含まれる画像に対してタップ操作が行われると、当該画像に対応するアプリケーションが実行されることから、初期画面モードが終了する。また、スライド操作中（時刻ｂ〜時刻ｃ間）に、操作検出部５０が表示画面４０における画像以外の領域に対するタップ操作を検出した場合には、表示制御部５１は、当該タップ操作が検出された時刻に強調表示モード５４を解除する。
【００８６】
このように、モードの切り替え処理の第五実施形態では、強調表示モード５４に移行されると、操作検出部５０でタップ操作が検出されるまで、強調表示モード５４が維持される。したがって、第五実施形態によると、ユーザは所望のタイミングで強調表示モード５４の解除し易くなる。その結果、電子機器１の操作性が向上する。
【００８７】
＜モードの切り替え処理＿第六実施形態＞
第六実施形態では、表示部１６に対する遷移操作以外の操作の開始を新たに検出したときに強調表示モード５４の解除を行う。
【００８８】
第六実施形態における遷移操作以外の操作とは、前述したタップ操作の他に、例えば、ロングタッチ操作が挙げられる。ロングタッチ操作とは、操作子６０が表示部１６に一定時間以上接触してから当該表示部１６から離れる操作である。ユーザは、表示部１６に対してロングタッチ操作を行うことによって、例えば、メニュー画面を表示部１６に表示させることができる。なお、遷移操作以外の操作とは、画像を探しているときには行われない操作と言える。つまり、遷移操作以外の操作の開始を新たに検出したときには、ユーザが画像を探す操作を終えて、次の作業を始めたときである可能性が高いと言える。
【００８９】
また、表示画面４０における、画像以外の領域に対するタップ操作を検出した場合に強調表示モード５４を解除する第五実施形態とは異なり、第六実施形態では、表示画面４０に対する、遷移操作以外の操作を検出した場合には、その操作が表示画面４０のどの領域に対して行われたかにかかわらず、強調表示モード５４を解除する。このように、表示画面４０における、画像以外の領域も操作対象に含めることで、ユーザが画像を探す操作（遷移操作）の後に、どのような操作を行ったとしても、強調表示モード５４を解除することができる。
【００９０】
以上のように、第六実施形態では、操作検出部５０で表示部１６に対する遷移操作以外の操作の開始が新たに検出されたときに強調表示モード５４が解除されることで、ユーザが画像を探す作業を終えて（もしくは中断して）、次の作業を始めたときに強調表示モード５４を解除することができる。換言すれば、第六実施形態では、ユーザが表示部１６に対して遷移操作以外の操作（つまり、画像を探しているときには行われない操作）を行うまでは、強調表示モード５４が維持される。その結果、電子機器１の操作性が向上する。
【００９１】
＜モードの切り替え処理＿第七実施形態＞
上述した第一〜第四実施形態では、操作検出部５０で検出された操作子６０によるスライド操作に基づいて、通常モード５３と強調表示モード５４との切り替えを行っている。しかし、スライド操作という表示部１６に対する操作ではなく、表示画面４０の遷移に基づいて、通常モード５３と強調表示モード５４との切り替えを行ってもよい。以下に、遷移操作としてフリック操作を例に挙げて、モードの切り替え処理の第七実施形態について説明する。
【００９２】
図２２は、モードの切り替え処理の第七実施形態における表示制御部５１の処理の流れを示す図である。まず、表示制御部５１は、通常モード５３で表示部１６の表示制御を行う（start）。そして、表示制御部５１は、操作子６０によってフリック操作が開始されたか否かを、操作検出部５０の検出結果から調べる（ステップＳ１５）。操作検出部５０でフリック操作の開始が検出されていない場合には（ステップＳ１５でＮｏ）、操作検出部５０でフリック操作の開始が検出されるまで、ステップＳ１５の処理を繰り返し行う。一方、操作検出部５０でフリック操作の開始が検出された場合には（ステップＳ１５でＹｅｓ）、表示制御部５１は、通常モード５３から強調表示モード５４に移行し、かつ操作検出部５０で検出されたフリック操作に基づいて表示画面４０を遷移させる（ステップＳ２）。
【００９３】
次に、表示制御部５１は、表示画面４０が遷移中か否かを調べる（ステップＳ１６）。表示画面４０が遷移中である場合には（ステップＳ１６でＹｅｓ）、強調表示モード５４を維持し（ステップＳ１７）、ステップＳ１６の処理に戻る。反対に、表示画面４０の遷移中でない場合には（ステップＳ１６でＮｏ）、表示制御部５１は、強調表示モード５４を解除する（ステップＳ５）。
【００９４】
図２３，２４は、モードの切り替え処理の第七実施形態における、操作検出部５０が検出したユーザ操作と、表示部１６の出力との関係を説明するための図である。
【００９５】
図２３に示されるように、モードの切り替え処理の第七実施形態によると、フリック操作が終了しても（時刻ｃ）、強調表示モード５４は解除されず、表示画面４０の遷移が終了したときに強調表示モード５４が解除される。
【００９６】
また、図２４に示されるように、フリック操作が終了した時刻（時刻ｃ）から当該フリック操作による表示画面４０の遷移が終了するまでの間（つまり、図２４の例では時刻ｃ〜時刻ｄの間）に、操作検出部５０で新たなフリック操作が検出された場合には、表示制御部５１は、強調表示モード５４を維持する。つまり、表示制御部５１は、２回目のフリック操作による表示画面４０の遷移が終了するまで（すなわち、１回目のフリック操作開始時刻ｂから、２回目のフリック操作による表示画面４０の遷移が終了する時刻ｇまでの間）、強調表示モード５４を維持する。
【００９７】
このように、モードの切り替え処理の第七実施形態では、表示画面４０が遷移中か否かに基づいて強調表示モード５４の解除が行われる。したがって、フリック操作によって表示画面４０を遷移させたとき（つまり、遷移操作が終了した後にも表示画面４０が遷移する場合）であっても、表示画面４０の遷移が終了するまで強調表示モード５４の解除が行われることはない。このため、ユーザが電子機器１に対して行った遷移操作によって表示画面４０の遷移がされているとき（つまり、ユーザが目的となる画像を探していると思われるとき）に、強調表示対象画像を目立たせて表示させることができる。よって、ユーザは所望の画像を選択し易くなる。その結果、電子機器の操作性が向上する。
【００９８】
なお、第一〜第五実施形態のように、遷移操作としてスライド操作が行われる場合であっても、表示画面４０の遷移に基づいて、通常モード５３と強調表示モード５４との切り替えを行うことができる。具体的には、上述の図１２，１４，１６，１８において、ステップＳ３の代わりに、図２５のステップＳ１６を行うことによって、表示画面４０の遷移に基づいて、通常モード５３と強調表示モード５４との切り替えを行うことができる。
【００９９】
＜モードの切り替え処理＿第八実施形態＞
図２５は、モードの切り替え処理の第八実施形態における表示制御部５１の処理の流れを示す図である。上述した、第七実施形態では、表示制御部５１は表示画面４０の遷移が終了すると強調表示モード５４を解除するのに対して、第八実施形態では、表示制御部５１は、表示画面４０の遷移が終了してから所定時間以内に操作検出部５０で新たなフリック操作が検出されないときに強調表示モード５４の解除を行う。
【０１００】
なお、図２５のステップＳ１５，Ｓ２，Ｓ１６，Ｓ１７の処理は、第七実施形態（図２２のステップＳ１５，Ｓ２，Ｓ１６，Ｓ１７）と同じであるため、説明を省略する。
【０１０１】
ステップＳ１６において、表示画面４０が遷移中でない場合（ステップＳ１６でＮｏ）には、表示制御部５１は、所定時間以内に新たなフリック操作が開始されたか否かを、操作検出部５０の検出結果から調べる（ステップＳ１８）。所定時間以内に操作検出部５０で新たなフリック操作が検出された場合には（ステップＳ１８でＹｅｓ）、表示制御部５１は、当該新たなフリック操作に基づいて表示画面４０の遷移を行い（ステップＳ１９）、ステップＳ１６の処理に戻る。反対に、所定時間以内に操作検出部５０で新たなフリック操作が検出された場合には（ステップＳ１８でＮＯ）、表示制御部５１は、強調表示モード５４の解除を行う（ステップＳ５）。
【０１０２】
図２６，２７は、モードの切り替え処理の第八実施形態における、操作検出部５０が検出したユーザ操作と、表示部１６の出力との関係を説明するための図である。
【０１０３】
図２６に示されるように、第八実施形態によると、表示画面４０の遷移が終了しても（時刻ｄ）、強調表示モード５４は解除されず、表示画面４０の遷移が終了した時刻ｄから所定時刻βが経過したとき（時刻ｅ）に、強調表示モード５４の解除が行われる。
【０１０４】
また、図２７に示されるように、表示画面４０の遷移が終了した時刻（時刻ｄ）から所定時刻βが経過するまでの間（つまり、図２７の例では、時刻ｄ〜時刻ｅの間）に、操作検出部５０で新たなフリック操作が検出されると、表示制御部５１は強調表示モード５４を維持する。つまり、表示制御部５１は、２回目の表示画面４０の遷移の終了から所定時刻βが経過するまで（すなわち、１回目のフリック操作開始時刻ｂから２回目の表示画面の遷移の終了から所定時刻βが経過した時刻ｉまでの間）、強調表示モード５４を維持する。
【０１０５】
このように、モードの切り替え処理の第八実施形態では、表示画面４０の遷移が終了しても、当該表示画面４０の遷移が終了した時刻から所定時間βが経過するまで、強調表示モード５４を維持する。したがって、ユーザは、表示画面４０の遷移が停止してしまった場合であっても、所定時刻βが経過するまでに、フリック操作を行えば、強調表示対象画像４２に選択された画像を変更することなく、目的となる画像を探す作業を継続することができる。したがって、電子機器１の操作性が向上する。
【０１０６】
なお、第七及び第八実施形態のように、遷移操作としてフリック操作が行われる場合であっても、第二実施形態と同様に、操作検出部５０が操作を検出していない状態で操作の開始を検出したときに強調表示モード５４に移行してもよい。
【０１０７】
＜＜強調表示対象画像の選択について＞＞
＜強調表示対象画像の選択＿第一実施形態＞
ここでは、強調表示対象画像４２の選択方法について説明する。強調表示対象画像４２の選択の第一実施形態では、遷移操作の起点となった画像と、遷移操作の起点となった画像に関連する画像とが、強調表示対象画像４２として選択される。表示制御部５１は、操作検出部５０の検出結果に基づいて強調表示対象画像４２の選択を行う。
【０１０８】
図２８〜３０は、第一実施形態における表示部１６の表示例を示す図である。図２８〜３０では、遷移操作前の表示部１６の表示例が左側に示されており、遷移操作後の表示部１６の表示例が右側に示されている。
【０１０９】
図２８に示されるように、操作遷移前の表示部１６には、画像２１，２２，２３，２４，２５が表示されている。そして、操作子６０によって、メールアプリケーションに対応する画像２２を起点とした遷移操作が行われている。この場合には、図２８の右側に示されるように、例えば、起点となったメールアプリケーションに対応する画像２２と、メールアプリケーションと関連するインスタントメッセージアプリケーションに対応する画像２３とが、強調表示対象画像４２として選択される。メールアプリケーションおよびインスタントメッセージアプリケーションは、文字情報を送受信する機能を有するという点で共通している（同じカテゴリに属している）ため、メールアプリケーションに対応する画像２２と、インスタントメッセージアプリケーションに対応する画像２３とは関連する画像とされている。
【０１１０】
なお、各画像がどの画像と関連しているかは、予め定められて、電子機器１の記憶部１３に記憶されている。また、遷移操作の起点となった画像（図２８の例では、画像２２）は、強調表示対象画像４２として選択されず、操作の起点となった画像に関連する画像のみが強調表示対象画像４２として選択されてもよい。
【０１１１】
図２９では、操作子６０によって、電話アプリケーションに対応する画像２１を起点として遷移操作が行われた場合が示されている。この場合には、図２９の右側示されるように、操作遷移の起点となった画像２１と、画像２１に関連する画像３０とが、強調表示対象画像４２として選択される。画像３０は、インターネットを利用して音声通話を行うための通話アプリケーションである。電話アプリケーションと通話アプリケーションとは、音声通話機能を有しているという点で共通しているため、電話アプリケーションに対応する画像２１と、通話アプリケーションに対応する画像３０とは関連する画像とされている。
【０１１２】
また、図３０に示される例では、遷移操作前の表示部１６には、画像２４，２８，２１，２２，２９が表示されている。画像２９は、無線ＬＡＮの設定を行う無線ＬＡＮ設定アプリケーションに対応する画像である。そして、図３０の左側に示されるように、操作子６０によって、無線ＬＡＮ設定アプリケーションに対応する画像２９を起点として遷移操作が行われた場合には、図３０の右側に示されるように、遷移操作の起点となった画像２９と、画像２９に関連する画像３１とが、強調表示対象画像４２として選択される。画像３１は、赤外線通信の設定を行う短距離通信設定アプリケーションである。無線ＬＡＮ設定アプリケーションと短距離通信設定アプリケーションとは、通信設定を行う機能を有するという点で共通しているため、画像２９と画像３１とは関連する画像とされている。
【０１１３】
強調表示対象画像の選択における第一実施形態では、遷移操作の起点となった画像と、遷移操作の起点となった画像に対応するアプリケーションと関連するアプリケーションに対応する画像とが、強調表示対象画像４２として選択される。したがって、例えば、ユーザが、目的となる目的画像に関連する関連画像を見つけたときには、関連画像を起点として遷移操作を行うことで、目的画像を強調表示対象画像４２として選択することができる。
【０１１４】
＜強調表示対象画像の選択＿第二実施形態＞
ここでは、遷移操作の起点となった画像に対応するアプリケーションが、ある情報を提供（表示部１６に表示）するアプリケーションである場合での強調表示対象画像の選択について説明する。この場合には、表示制御部５１は、操作の起点となった画像と、当該画像が対応するアプリケーションが提供するある情報を含む未読の情報を、ユーザに提供する情報に含むアプリケーションに対応する画像とが、強調表示対象画像４２として選択される。図３１，３３は、第二実施形態における表示部１６の表示例を示す図である。
【０１１５】
図３１に示される例では、遷移操作を行う前の表示画面４０には、画像２６，２４，２８，２１が含まれている。画像２４は、電話帳に登録されているＡさんの名前と、電話帳においてＡさんの名前に紐付けられた情報とを提供する電話帳アプリケーションに対応する画像である。画像２１は電話アプリケーションに対応する画像である。また、電話アプリケーションの一部の機能（着信機能）によって、Ａさんからの不在着信に関する情報（不在着信情報）が得られており、画像２１には当該不在着信に関する情報が表示されている。図３１に示される例では、画像２１には、Ａさんの名前と、１件の不在着信があったことを示す情報とが表示されている。
【０１１６】
不在着信情報が表示されている画像２１に対してタップ操作が行われると、図３２に示されるように、不在着信情報及び着信時の通話履歴等を含む着信履歴がユーザに提供（表示部１６に表示）される。電話アプリケーションによって提供される情報としては、図３２に示されるように、例えば、名前、着信時刻、不在着信、通話時間が挙げられる。また、未読の不在着信情報については、図３２の領域７０に示されるように、目立つように表示される。
【０１１７】
本実施形態では、図３１の左側に示されるように、画像２４を起点とする遷移操作が行われた場合には、表示制御部５１は、遷移操作の起点となった画像２４と、Ａさんの名前を含む未読の不在着信情報を、ユーザに提供する着信履歴に含む電話アプリケーションに対応する画像２１とを強調表示対象画像４２として選択する。
【０１１８】
また、図３３に例示されるように、Ａさんの名前と、Ａさんの名前に紐付けられた情報とを提供する電話帳アプリケーションに対応する画像２４を起点とする遷移操作が行われた場合には、表示制御部５１は、例えば、遷移操作の起点となった画像２４と、画像２１，２２，２３とを強調表示対象画像４２として選択する。画像２１は、電話アプリケーションに対応する画像である。また、電話アプリケーションの着信機能によってＡさん及びＢさんからの不在着信情報が得られており、画像２１には、最新の不在着信の発信者であるＢさんの名前と、２件の不在着信があったことを示す情報とが表示されている。画像２２は、メールアプリケーションに対応する画像である。メールアプリケーションの受信機能によってＡさんからの新着の受信メールに関する情報が得られており、画像２２には新着メール数が表示されている。画像２２は、画像の大きさが小さいために、新着の受信メールの数のみが表示され、新着の受信メールの送信者に関する情報は表示されていない。画像２３は、インスタントメッセージアプリケーションに対応する画像である。また、インスタントメッセージアプリケーションの受信機能によって、Ａさんからの新着の受信メッセージに関する情報が得られており、画像２３には新着の受信メッセージの数が表示されている。
【０１１９】
新着受信メールに関する情報が表示されている画像２２に対してタップ操作が行われると、図３４に示されるように、過去の受信メールごとに、当該受信メールに関する情報（受信メール情報）が提供（表示部１６に表示）される。メールアプリケーションによって提供される情報としては、図３４に示されるように、例えば、名前、受信時刻、受信メールの件名が挙げられる。また、未読の受信メール情報、つまり新着の受信メールに関する情報には、図３４に示されるように、例えば未読マーク７１が付されて既読の受信メール情報と区別される。
【０１２０】
また、新着の受信メッセージに関する情報が表示されている画像２３に対してタップ操作が行われると、図３５に示されるように、例えば、新着の受信メッセージに関する情報が提供（表示部１６に表示）される。新着の受信メッセージに関する情報は、未読の受信メッセージに関する情報（未読の受信メッセージ情報）と言える。インスタントメッセージアプリケーションによって提供される情報としては、図３５に示されるように、例えば、名前、メッセージ内容、受信時刻が挙げられる。インスタントメッセージアプリケーションの実行によって送受信されるメッセージは、短い文章であって確認に時間がかからないため、図３５に示されるように、未読か否かが区別して表示されない場合もある。
【０１２１】
図３３に示される画像２１，２２，２３には、Ａさんという名前が表示されていない。しかしながら、画像２１，２２，２３に対応するアプリケーションが提供する情報には、Ａさんの名前を含む未読の情報が含まれている。したがって、図３３の左側に示されるように画像２４を起点とする遷移操作が行われた場合には、表示制御部５１は、画像２１，２２，２３を、強調表示対象画像４２として選択する。
【０１２２】
第二実施形態では、ある情報を提供するアプリケーションに対応する画像が遷移操作の起点とされた場合には、表示制御部５１は、当該ある情報を含む未読の情報を、提供する情報に含むアプリケーションに対応する画像を強調表示対象画像４２として選択する。したがって、ユーザは、ある情報を含む未読の情報、例えば特定の人物の名前を含む未読の情報が存在するか否かを容易に知ることができる。なお、第一実施形態と同様に、遷移操作の起点となった画像は強調表示対象画像４２として選択されなくてもよい。
【０１２３】
＜強調表示対象画像の選択＿第三実施形態＞
強調表示対象画像の選択の第三実施形態では、遷移操作の起点となった画像と同じ大きさの画像が強調表示対象画像４２として選択される。図３６は、第四実施形態における表示部１６の表示例を示す図である。
【０１２４】
図３６の左側に示されるように、操作子６０によって、例えば一番大きいサイズの画像である画像２６を起点とした遷移操作が行われた場合には、表示制御部５１は、図３６の右側に示されるように、一番大きいサイズの画像である画像２１，３１を強調表示対象画像４２として選択する。
【０１２５】
なお、遷移操作の起点となった画像は、強調表示対象画像４２として選択されてもよいし、選択されなくてもよい。
【０１２６】
＜強調表示対象画像の選択＿第四実施形態＞
第四実施形態では、操作の起点となる画像以外に強調表示対象画像４２とする画像が存在しない場合について説明する。図３７は、第四実施形態における表示部１６の表示例を示す図である。
【０１２７】
遷移操作の起点となる画像と同じ大きさの画像を強調表示対象画像４２として選択する場合において、図３７に示されるように、一番大きいサイズの画像２７を起点とする操作遷移が行われたとする。このとき、表示対象画像４１に画像２７と同じサイズの画像が配置されていない場合（つまり、表示対象画像４１に配置された画像のうち、大きいサイズの画像は画像２７だけであった場合）には、図３７の右側に示されるように、表示制御部５１は、強調表示対象画像４２に該当する画像が存在しない旨の通知４３を表示する。また、表示制御部５１は、通知４３を表示するとともに、表示画面４０の遷移を禁止してもよい（つまり、表示画面４０を遷移させない）。
【０１２８】
このように、遷移操作において起点とした画像に関連する画像が存在しない場合には、起点とした画像に関連する画像が存在しない旨の通知を行うことで、ユーザは、探している画像が存在しないことを、画像を探す作業を行わずに知ることができる。また、遷移操作されたとしても、その遷移操作の起点となった画像に関連する画像が存在しない場合に表示画面４０を遷移させないことによって、ユーザは、関連する画像が存在しない場合に、表示画面４０を元に戻す操作が不要となる。
【０１２９】
＜強調表示対象画像の選択＿第五実施形態＞
強調表示対象画像の選択における第五実施形態では、２本の操作子６０によって、２つの画像（第一画像６１および第二画像６２とする）を起点とした遷移操作が行われた場合での強調表示対象画像２４の選択について説明する。この場合には、第一画像６１を遷移操作の起点とした場合に強調表示対象画像４２として選択される画像と、第二画像６２を遷移操作の起点とした場合に強調表示対象画像４２として選択される画像のすべてが、強調表示対象画像４２として選択される。図３８は、第五実施形態における表示部１６の表示例を示す図である。なお、ここでは、１本の操作子６０で、特定の名前と、特定の名前に紐付いた情報とを提供するアプリケーションに対応する画像を起点とする遷移操作が行われた場合には、第二実施形態と同様に、遷移操作の起点となった画像と、特定の名前を含む未読の情報を、提供する情報に含むアプリケーションに対応する画像とが、強調表示対象画像４２として選択されるものとする。
【０１３０】
図３８の左側の表示部１６では、二つの操作子６０によって、Ａさんの名前とＡさんの名前に紐付けられた情報とを提供する電話アプリケーションに対応する画像２４（第一画像６１）と、Ｂさんの名前とＢさんの名前に紐付けられた情報とを提供する電話アプリケーションに対応する画像２８（第二画像６２）とを起点として遷移操作が行われている様子が示されている。この場合には、図３８の右側に示されるように、例えば、画像２１，２２，３０が強調表示対象画像４２として選択される。
【０１３１】
画像２１は電話アプリケーションに対応する画像である。また、電話アプリケーションの着信機能によって、Ａさんからの不在着信に関する情報が得られており、画像２１には当該不在着信に関する情報が表示されている。
【０１３２】
画像２２はメールアプリケーションに対応する画像である。画像２２には新着の受信メールの数しか表示されていないが、メールアプリケーションの受信機能によって、Ａさん及びＢさんからの新着受信メールに関する情報が得られている。
【０１３３】
画像３０は、通話アプリケーションに対応する画像であって、当該通話アプリケーションの着信機能によって得られた、Ｂさんからの不在着信に関する情報が画像３０に表示されている。
【０１３４】
図３８に示される例では、画像２４（第一画像６１）を起点とする遷移操作を行った場合に強調表示対象画像４２として選択される画像２１，２２と、画像２８（第二画像６２）を起点とする遷移操作を行った場合に強調表示対象画像４２として選択される画像２２，３０とを合わせたもの、つまり画像２１，２２，３０が強調表示対象画像４２として選択される。
【０１３５】
＜強調表示対象画像の選択＿第六実施形態＞
第一〜第三および第五実施形態においては、遷移操作の起点となる画像に基づいて、強調表示対象画像４２の選択が行われていたが、遷移操作を行う操作子６０の数に基づいて強調表示対象画像４２の選択が行われてもよい。第六実施形態では、操作遷移を行った操作子６０の数が所定の数である場合に、提供する情報に未読情報を含むアプリケーションに対応する画像が強調表示対象画像４２として選択される。第六実施形態における未読情報とは、例えば、電話アプリケーションの不在着信に関する情報や、スケジュールアプリケーションにおいて指定時刻に通知される予定の情報などが挙げられる。図３９は、第六実施形態における表示部１６の表示例を示す図である。
【０１３６】
図３９に示されるように、例えば、二本の操作子６０で遷移操作が行われた場合には、表示制御部５１は、新着の受信メールに関する情報を示す画像２２と、現在設定しているアラームの数を示す画像２５とを強調表示対象画像４２として選択する。図３９では、二本の操作子６０で遷移操作を行った場合について例示しているが、例えば、三本の操作子６０で遷移操作を行った場合に、提供する情報に未読情報を含むアプリケーションに対応する画像が強調表示対象画像４２として選択されてもよい。つまり、第六実施形態では、表示制御部５１は、予め定められた操作子６０の本数で遷移操作が行われた場合に、提供する情報に未読情報を有するアプリケーションに対応する画像を強調表示対象画像４２として選択する。なお、操作子６０の本数と強調表示対象画像４２の選択との関連付けは、ユーザによって任意に設定されるものであってもよい。
【０１３７】
第六実施形態によると、ユーザは、遷移操作を行う操作子６０の数を変えるだけで、電子機器１に、提供する情報に未読情報を有するアプリケーションを強調表示対象画像４２として選択させることができる。したがって、ユーザは、予め定められた操作子６０の本数で遷移操作を行うことで、確認したい未読情報を、提供する情報に含むアプリケーションに対応する画像を簡単に知ることができる。
【０１３８】
＜強調表示対象画像の選択＿第七実施形態＞
図４０は、第七実施形態における表示部１６の表示例を示す図である。第六実施形態では、予め定められた操作子６０の本数で遷移操作を行った場合には、提供する情報に未読情報を有するアプリケーションに対応する画像が強調表示対象画像４２として選択されるが、第七実施形態では、予め定められたサイズの画像が強調表示対象画像４２として選択される。
【０１３９】
図４０に示されるように、例えば、三本の操作子６０で遷移操作を行った場合には、表示制御部５１は、小さいサイズである画像２１，３１，２７を強調表示対象画像４２として選択する。図４０では、三本の操作子６０で遷移操作が行われた場合について例示しているが、例えば、二本の操作子６０で遷移操作が行われた場合に、小さいサイズの画像が強調表示対象画像４２として選択されてもよい。また、図４０では、小さいサイズの画像が強調表示対象画像４２として選択されているが、他のサイズの画像が強調表示対象画像４２として選択されてもよい。つまり、第七実施形態では、表示制御部５１は、予め定められた操作子６０の本数で遷移操作が行われた場合に、予め定められたサイズの画像を強調表示対象画像４２として選択する。操作子６０の本数と、強調表示対象画像４２として選択する画像のサイズとの関連付けは、ユーザによって任意に設定されてもよい。
【０１４０】
なお、第七実施形態と上記の第六実施形態とが組み合わされてもよい。具体的には、例えば、二本の操作子６０で遷移操作が行われた場合には、第六実施形態での強調表示対象画像４２の選択が行われ、三本の操作子６０で遷移操作が行われた場合には、第七実施形態での強調表示対象画像４２の選択が行われてもよい。
【０１４１】
このように、遷移操作を行う操作子６０の数に応じて、強調表示対象画像４２として選択される画像を変化させることで、ユーザは、遷移操作を行う操作子６０の数を変えることによって、目立たせて表示させる画像を変化させることができる。
【０１４２】
＜強調表示対象画像の選択＿第八実施形態＞
図４１は、第八実施形態における表示部１６の表示例を示す図である。第八実施形態では、ユーザが設定した画像が強調表示対象画像４２として選択される。
【０１４３】
図４１に示されるように、予め定められた操作子６０の本数で遷移操作が行われた場合には、例えば、ユーザによって予め設定された画像２１，２２，２６が強調表示対象画像４２として選択される。
【０１４４】
このように、第八実施形態では、ユーザが設定した画像が強調表示対象画像４２として設定されるため、例えば図４１に示されるように、ユーザは、電話アプリケーションに対応する画像２１と、メールアプリケーションに対応する画像２２と、カメラアプリケーションに対する画像２６というような、全く関連性を持たない複数の画像を電子機器１に強調表示対象画像４２として選択させることができる。したがって、ユーザは自身の好みに応じて強調表示対象画像４２として選択される画像を選ぶことができる。
【０１４５】
また、予め定められた操作子６０の本数で遷移操作が行われた場合には、現在から所定時間前までに起動されたアプリケーションに対応する画像が、強調表示対象画像４２として選択されてもよい。つまり、電子機器１は、ユーザが最近使用したアプリケーションに対応する画像を強調表示対象画像４２として選択してもよい。より具体的には、例えば、電子機器１は、予め定められた操作子６０の本数で遷移操作が行われた場合には、現在から２４時間前までの間で起動したアプリケーション（１日以内に起動したアプリケーション）に対応する画像を強調表示対象画像４２として選択する。この場合には、ユーザは、最近使用したアプリケーションに対応する画像を簡単に知ることができる。なお、上述した所定時間は２４時間に限定されない。また、当該所定時間は、ユーザによって任意に設定されてもよい。
【０１４６】
＜強調表示対象画像の選択＿第九実施形態＞
第九実施形態では、操作検出部５０で検出した操作子６０の本数に関連付けられた画像が、表示対象画像４１にひとつも配置されていない場合での電子機器１の動作について説明する。この場合には、第四実施形態と同様に、表示制御部５１は、強調表示対象画像４２となる画像が存在しない旨の通知４３を表示する。また、表示制御部５１は、通知４３を表示するとともに、表示画像４０の遷移を禁止してもよい（表示画面４０を遷移させない）。
【０１４７】
＜強調表示対象画像の選択＿第十実施形態＞
第一〜第三および第五実施形態で説明した、遷移操作の起点となる画像に基づいて強調表示対象画像４２を選択する処理と、第六〜第八実施形態で説明した、遷移操作を行う操作子６０の本数に関連付けられた画像を強調表示対象画像４２として選択する処理とは、組み合わせて使用してもよい。
【０１４８】
図４２は、第十実施形態における表示部１６の表示例を示す図である。ここでは、特定の名前と、特定の名前に紐付けられた情報とを提供するアプリケーションに対応する画像を起点とする遷移操作が行われた場合には、第二実施形態と同様に、遷移操作の起点となった画像と、特定の名前を含む未読の情報を、提供する情報に含むアプリケーションに対応する画像とが、強調表示対象画像４２として選択される。また、二本の操作子６０で遷移操作が行われた場合には、第七実施形態の処理と同様に、一番大きいサイズの画像が強調表示対象画像４２として選択される。
【０１４９】
図４２では、Ａさんの名前と、Ａさんの名前に紐付けられた情報とを提供するアプリケーションに対応する画像２４を起点として、二本の操作子６０で遷移操作が行われた場合が示されている。なお、画像２２は、メールアプリケーションに対応する画像であって、当該メールアプリケーションの受信機能によってＡさんからの新着の受信メール関する情報が得られている。この場合には、画像２４を起点とする遷移操作が行われたときに強調表示対象画像４２として選択される画像２４，２２と、二本の操作子６０で遷移操作が行われたときに強調表示対象画像４２として選択される画像２５，２１とを合わせたもの、つまり画像２４，２２，２５，２１が強調表示対象画像４２として選択される。
【０１５０】
＜＜強調表示モードにおける強調表示対象画像の表示＞＞
ここでは、電子機器１が強調表示モード５４に移行したときの、強調表示対象画像４２の表示態様について説明する。
【０１５１】
＜強調表示モードにおける強調表示対象画像の表示＿第一実施形態＞
第一実施形態では、表示画像４１に配置された画像の色が変更されることによって、強調表示対象画像４２が目立って表示される。例えば、強調表示対象画像４２に決定された画像の色相、明度あるいは彩度が変更される。
【０１５２】
色相が変更される場合には、強調表示対象画像４２と、表示対象画像４１に配置された、強調表示対象画像４２以外の画像との色相差が大きくされる。これにより、強調表示対象画像４２と、強調表示対象画像４２以外の画像とが区別される。また、明度もしくは彩度が変更される場合には、強調表示対象画像４２の明度もしくは彩度が上げられる。画像の明度もしくは彩度が上げられることで、当該画像の色は目立つ色となる。よって、ユーザは注目すべき画像であることを直感的に認識することができる。また、反対に、表示対象画像４１に配置された、強調表示対象画像４２以外の画像の明度もしくは彩度が下げられもよい。画像の明度もしくは彩度が下げられることにより、当該画像の色が暗い色もしくはくすんだ色となる。よって、ユーザは選択すべき画像でないと直感的に認識することができる。なお、画像の色相、明度及び彩度の少なくとも２つが変更されてもよい。
【０１５３】
＜強調表示モードにおける強調表示対象画像の表示＿第二実施形態＞
第二実施形態では、表示対象画像４１に配置された画像の大きさが変更されることによって、強調表示対象画像４２が目立って表示される。ここで言う大きさの変更は、画像の大きさを上記の３種類の大きさの間で変更させることではなく、現在の大きさより一回り大きくあるいは小さくすることを指している。
【０１５４】
図４３は、第二実施形態における表示画面４０の一例を示している。図４３に示される例では、画像２２，２６が、強調表示対象画像４２として表示されている。図４３では、強調表示対象画像４２として目立たせて表示されている画像２２new、２６newは、点線で描かれた強調表示モード５４に移行前の画像２２old，２６oldに比べて一回り大きくなって表示されている。これとは反対に、強調表示対象画像４２以外の画像（図４３の例では、画像２４，２１，２３，２８）が一回り小さく表示されてもよい。
【０１５５】
このように、強調表示対象画像４２として選択された画像の面積が、同じ大きさで配置された他の画像に比べて大きくされることで、ユーザは、大きく表示された画像が、注目すべき強調表示対象画像４２であることを直感的に認識することができる。
【０１５６】
以上の説明から理解できるように、第一実施形態及び第二実施形態では、強調表示対象画像４２の表示態様が変化されることによって、あるいは強調表示対象画像４２以外の画像の表示態様が変化されることによって、強調表示対象画像４２が目立つように表示されている。
【０１５７】
＜強調表示モードにおける強調表示対象画像の表示＿第三実施形態＞
第三実施形態では、強調表示対象画像４２の上に識別画像（マーク）４４が付されることで、強調表示対象画像４２が目立って表示される。図４４は、第三実施形態における表示部１６の表示例を示す図である。図４４では、画像２２，２１，２８が強調表示対象画像４２として表示されている。これらの画像２２，２１，２８には識別画像４４が付されている。強調表示対象画像４２として選択された画像に識別画像４４が付されることで、ユーザは、識別画像４４が付された画像が強調表示対象画像４２であることを簡単に認識することができる。
【０１５８】
＜強調表示モードにおける強調表示対象画像の表示＿第四実施形態＞
第四実施形態では、強調表示対象画像４２以外の画像が非表示とされることで、強調表示対象画像４２が目立つように表示される。図４５は、第四実施形態における表示部１６の表示例を示す図である。図４５で示される例では、画像２２，２１，２８が強調表示対象画像４２として選択された例が示されている。また、図４５において点線で描かれている画像２４old，２３old、２６oldは、強調表示モード５４に移行する前には、表示部１６に表示されていた画像である。
【０１５９】
第四実施形態では、強調表示対象画像４２として選択された画像２２，２１，２８以外の画像が非表示とされるため、ユーザは、強調表示対象画像４２を容易に認識することができる。
【０１６０】
＜＜表示画面の遷移が行われる範囲について＞＞
ここでは、表示部１６に表示される表示対象画像４１の範囲について説明する。表示部１６に表示される表示画面４０の遷移は、以下に説明するように、表示対象画像４１において、強調表示対象画像４２が存在する範囲４５内で行われる。
【０１６１】
図４６は、強調表示モード５４移行時の表示対象画像４１の一例示している。図４６に示されるように、例えば画像２２，２７，２５が強調表示対象画像４２として選択されている場合には、画像２２，２７，２５が配置されている範囲４５内で、表示画面４０の遷移が行われる。より具体的には、遷移操作が行われても、表示対象画像４１において、範囲４５よりも上の領域４７ａおよび範囲４５より下の領域４７ｂは、表示画面４０とはならずに表示部１６に表示されない。
【０１６２】
図４７は、図４６に示される表示対象画像４１に対応する表示画面４０の一例を示している。図４７の左側は、これ以上表示画面４０の遷移が行われないところまで下方向の遷移操作が行われたときの表示部１６の表示例である。図４７の左側に示される表示画面４０は、図４６に示される、表示対象画像４１に含まれる部分画像４６ａで構成されている。一方、図４７の右側は、これ以上表示画像４０の遷移が行われないところまで上方向の遷移操作が行われたときの表示部１６の表示例である。図４７の右側に示される表示画面４０は、図４６に示される、表示対象画像４１に含まれる部分画像４６ｂで構成されている。
【０１６３】
このように、１枚の表示対象画像４１において、強調表示対象画像４２が存在する範囲４５内で表示画面４０の遷移が行われることにより、目的となる画像をユーザが探す必要がある範囲が狭くなり、ユーザは画像を探しやすくなる。
【０１６４】
＜＜表示画面の遷移中の態様について＞＞
強調表示モード５４においては、操作検出部５０が強調表示対象画像４２以外の画像に対するタップ操作を検出したときには、電子機器１の制御部１０は、当該タップ操作がされた画像に対応するアプリケーションを起動しなくてもよい。つまり、ユーザが、探している画像に関連しない画像を誤って選択してまっても、ユーザが探している画像に関連しない画像に対応するアプリケーションは起動されなくてもよい。この場合には、ユーザの操作ミスによる作業のやり直しが発生する可能性を低くすることができる。
【０１６５】
＜＜表示画像の態様について＞＞
上述した実施形態では、１枚の表示対象画像４１のうちの一部分が表示画面４０として表示部１６に表示される態様について説明したが、表示対象画像４１は必ずしも１枚の画像でなくてもよい。例えば、図４８に示されるように、表示対象画像４１は、複数枚の画像（表示対象画像４１ａ，４１ｂ，４１ｃ）で構成されていてもよい。この場合であっても、表示部１６に対して遷移操作が行われることで、表示対象画像４１内で表示画面４０が遷移する。具体的には、遷移操作が行われることで、表示部１６に表示される画像が、表示対象画像４１ａ，４１ｂ，４１ｃ間で切り替えられる。例えば、図４９に示されるように、表示対象画像４１ａを表示している表示部１６に対して操作子６０で遷移操作が行われることで、表示部１６は表示対象画像４１ａの次の表示画像である表示対象画像４１ｂを表示する。
【０１６６】
また、遷移操作による表示対象画像４１内における表示領域の移動は、当該表示領域の大きさに合わせて行われてもよい。例えば、図５０に示されるように、表示対象画像４１が、表示領域３つ分の大きさ（左側の領域から順に領域Ａ，Ｂ，Ｃと呼ぶ）であるときを考える。この場合に遷移操作が行われると、表示部１６に現在表示されている部分画像を基準として、遷移操作が行われた方向と逆方向に、表示領域１つ分だけ表示領域が変化する。より具体的には、例えば、図５１に示されるように、領域Ａが表示部１６に表示されている場合に、左方向に遷移操作がされた場合には、表示領域が、右方向に当該表示領域１つ分の大きさ移動するため、領域Ｂが表示部１６に表示される。
【０１６７】
＜その他変形例＞
上記の例では、本願発明を携帯電話機に適用する場合を例に挙げて説明したが、本願発明は、タッチパネルと表示部とを有する電子機器であれば、どのような電子機器にも適用することができる。例えば、本願発明は、ＰＣ（Personal computer）、ＰＤＡ（Personal Digital Assistant）、ＴＶ（テレビ受信機）などにも適用することができる。
【０１６８】
以上のように、電子機器１は詳細に説明されたが、上記した説明は、全ての局面において例示であって、この発明がそれに限定されるものではない。また、上述した各種変形例は、相互に矛盾しない限り組み合わせて適用可能である。そして、例示されていない無数の変形例が、この発明の範囲から外れることなく想定され得るものと解される。
【符号の説明】
【０１６９】
１  電子機器
１６  表示部
２１，２２，２３，２４，２５，２６，２７，２８，２９，３０，３１，３２，３３，３４  画像
３９  表示範囲
４０  表示画面
４１  表示画像
４２  強調表示対象画像
５０  操作検出部
５１  表示制御部
５２  初期画面モード
５３  通常モード
５４  強調表示モード
６０  操作子
【図１】
2015046379.tif 000003
【図２】
2015046379.tif 000004
【図３】
2015046379.tif 000005
【図４】
2015046379.tif 000006
【図５】
2015046379.tif 000007
【図６】
2015046379.tif 000008
【図７】
2015046379.tif 000009
【図８】
2015046379.tif 000010
【図９】
2015046379.tif 000011
【図１０】
2015046379.tif 000012
【図１１】
2015046379.tif 000013
【図１２】
2015046379.tif 000014
【図１３】
2015046379.tif 000015
【図１４】
2015046379.tif 000016
【図１５】
2015046379.tif 000017
【図１６】
2015046379.tif 000018
【図１７】
2015046379.tif 000019
【図１８】
2015046379.tif 000020
【図１９】
2015046379.tif 000021
【図２０】
2015046379.tif 000022
【図２１】
2015046379.tif 000023
【図２２】
2015046379.tif 000024
【図２３】
2015046379.tif 000025
【図２４】
2015046379.tif 000026
【図２５】
2015046379.tif 000027
【図２６】
2015046379.tif 000028
【図２７】
2015046379.tif 000029
【図２８】
2015046379.tif 000030
【図２９】
2015046379.tif 000031
【図３０】
2015046379.tif 000032
【図３１】
2015046379.tif 000033
【図３２】
2015046379.tif 000034
【図３３】
2015046379.tif 000035
【図３４】
2015046379.tif 000036
【図３５】
2015046379.tif 000037
【図３６】
2015046379.tif 000038
【図３７】
2015046379.tif 000039
【図３８】
2015046379.tif 000040
【図３９】
2015046379.tif 000041
【図４０】
2015046379.tif 000042
【図４１】
2015046379.tif 000043
【図４２】
2015046379.tif 000044
【図４３】
2015046379.tif 000045
【図４４】
2015046379.tif 000046
【図４５】
2015046379.tif 000047
【図４６】
2015046379.tif 000048
【図４７】
2015046379.tif 000049
【図４８】
2015046379.tif 000050
【図４９】
2015046379.tif 000051
【図５０】
2015046379.tif 000052
【図５１】
2015046379.tif 000053
【手続補正書】
【提出日】平成28年12月1日(2016.12.1)
【手続補正１】
【補正対象書類名】特許請求の範囲
【補正対象項目名】全文
【補正方法】変更
【補正の内容】
【特許請求の範囲】
【請求項１】
アプリケーションプログラムを記憶する記憶部と、
表示を行う表示部と、
前記アプリケーションプログラムに対応付けられたアプリケーション対応画像を前記表示部に表示させる表示制御部と、
前記表示部に対する操作子による操作を検出する操作検出部と
を備え、
前記表示制御部は、前記表示部が表示する、前記アプリケーション対応画像を含む表示画面を遷移させることによって、複数のアプリケーション対応画像を前記表示部に表示させることが可能な動作モードを有し、
前記表示制御部は、前記動作モードにおいて、前記操作検出部が前記表示画面の遷移操作を検出したときには、前記表示画面を遷移させ、
前記表示制御部は、前記動作モードにおいて、前記複数のアプリケーション対応画像のうちの特定のアプリケーション対応画像が目立つように、前記表示画面を前記表示部に表示させる表示モードを有し、
前記表示制御部は、前記表示モードにおいて、前記操作検出部が検出する前記遷移操作に基づいて、前記表示モードを維持するか否かを決定し、
前記表示制御部は、前記遷移操作が、前記表示部に表示される所定の画像を起点とした操作であるときには、前記複数のアプリケーション対応画像から前記所定の画像に基づいて選択されるアプリケーション対応画像を、前記特定のアプリケーション対応画像とする、電子機器。
【請求項２】
請求項１に記載の電子機器であって、
前記表示制御部は、前記動作モードにおいて、前記操作検出部が前記遷移操作を検出したときに、前記表示モードに移行する、電子機器。
【請求項３】
請求項１に記載の電子機器であって、
前記表示制御部は、前記動作モードにおいて、前記操作検出部が前記表示部に対する操作を検出していない状態で操作の開始を検出したときに、前記表示モードに移行する、電子機器。
【請求項４】
請求項１に記載の電子機器であって、
前記所定の画像は、前記複数のアプリケーション対応画像に含まれる第一アプリケーション対応画像であって、
前記表示制御部は、前記遷移操作が、前記第一アプリケーション対応画像を起点とした操作であるときには、前記第一アプリケーション対応画像に関連する第二アプリケーション対応画像を、前記特定のアプリケーション対応画像とする、電子機器。
【請求項５】
請求項４に記載の電子機器であって、
前記第二アプリケーション対応画像は、前記第一アプリケーション対応画像に対応する第一アプリケーションプログラムと同じカテゴリに属する第二アプリケーションプログラムに対応する前記アプリケーション対応画像である、電子機器。
【請求項６】
請求項４に記載の電子機器であって、
前記第二アプリケーション対応画像は、前記第一アプリケーション対応画像に対応する第一アプリケーションプログラムが提供する第一情報を含む未読の第二情報が、提供する第三情報に含まれる第二アプリケーションプログラムに対応する前記アプリケーション対応画像である、電子機器。
【請求項７】
請求項６に記載の電子機器であって、
前記第一情報は、名前であって、
前記第二情報は、前記名前を含む不在着信情報、前記名前を含む受信メール情報及び前記名前を含む受信メッセージ情報のいずれか一つである、電子機器。
【請求項８】
請求項４に記載の電子機器であって、
前記第二アプリケーション対応画像は、前記第一アプリケーション対応画像と大きさが同じである前記アプリケーション対応画像である、電子機器。
【請求項９】
請求項４に記載の電子機器であって、
前記表示制御部は、前記複数のアプリケーション対応画像のなかに、前記第二アプリケーション対応画像が存在しない場合には、前記第二アプリケーション対応画像が存在しない旨を前記表示部に表示させる、電子機器。
【請求項１０】
請求項９に記載の電子機器であって、
前記表示制御部は、前記複数のアプリケーション対応画像のなかに、前記第二アプリケーション対応画像が存在しない場合には、前記第二アプリケーション対応画像が存在しない旨を前記表示部に表示させ、かつ前記表示画面を遷移させない、電子機器。
【請求項１１】
請求項１に記載の電子機器であって、
前記表示制御部は、前記遷移操作を行う前記操作子の数に関連付けられた第一アプリケーション対応画像を、前記特定のアプリケーション対応画像とする、電子機器。
【請求項１２】
請求項１１に記載の電子機器であって、
前記表示制御部は、前記遷移操作を行う前記操作子の数に応じて、前記第一アプリケーション対応画像を変化させる、電子機器。
【請求項１３】
請求項１１に記載の電子機器であって、
前記第一アプリケーション対応画像は、提供する情報に未読情報が含まれる前記アプリケーションプログラムに対応する前記アプリケーション対応画像である、電子機器。
【請求項１４】
請求項１１に記載の電子機器であって、
前記第一アプリケーション対応画像は、現在から所定時間前までに起動された前記アプリケーションプログラムに対応する前記アプリケーション対応画像である、電子機器。
【請求項１５】
請求項１１に記載の電子機器であって、
前記表示制御部は、前記複数のアプリケーション対応画像のなかに、前記第一アプリケーション対応画像が存在しない場合には、前記第一アプリケーション対応画像が存在しない旨を前記表示部に表示させる、電子機器。
【請求項１６】
請求項１５に記載の電子機器であって、
前記表示制御部は、前記複数のアプリケーション対応画像のなかに、前記第一アプリケーション対応画像が存在しない場合には、前記第一アプリケーション対応画像が存在しない旨を前記表示部に表示させ、かつ前記表示画面を遷移させない、電子機器。
【請求項１７】
請求項１に記載の電子機器であって、
前記表示制御部は、前記表示モードにおいて、前記操作検出部が、前記遷移操作が終了して前記表示部が操作されなくなってから所定時間内に新たな前記遷移操作を検出しないときには、前記表示モードを解除する、電子機器。
【請求項１８】
請求項１に記載の電子機器であって、
前記電子機器は、前記表示モードにおいて、前記操作検出部が、前記複数のアプリケーション対応画像における、前記特定のアプリケーション対応画像以外の第一アプリケーション対応画像を選択する選択操作を検出したときには、前記第一アプリケーション対応画像に対応する前記アプリケーションプログラムは起動しない、電子機器。
【請求項１９】
請求項１に記載の電子機器であって、
前記表示制御部は、一枚の表示対象画像内において前記表示部に表示する部分画像を変化させることによって前記表示画面を遷移させ、
前記表示制御部は、前記一枚の表示対象画像における、前記特定のアプリケーション対応画像が存在する範囲内において、前記表示部に表示する前記部分画像を変化させる、電子機器。
【請求項２０】
請求項１に記載の電子機器であって、
前記表示制御部は、前記表示モードにおいて、前記特定のアプリケーション対応画像の表示態様を変化させることによって、あるいは前記特定のアプリケーション対応画像以外の前記アプリケーション対応画像の表示態様を変化させることによって、前記特定のアプリケーション対応画像が目立つように前記表示画面を前記表示部に表示させる、電子機器。
【請求項２１】
請求項１に記載の電子機器であって、
前記表示制御部は、前記表示モードにおいて、前記特定のアプリケーション対応画像以外の前記アプリケーション対応画像が前記表示画面に含まれないようにすることによって、前記特定のアプリケーション対応画像が目立つように前記表示画面を前記表示部に表示させる、電子機器。
【請求項２２】
表示部と、アプリケーションプログラムを記憶する記憶部とを有する電子機器を制御するための制御プログラムであって、
前記電子機器に、
（ａ）前記表示部が表示する、アプリケーションプログラムに対応付けられたアプリケーション対応画像を含む表示画面を遷移させることによって、複数のアプリケーション対応画像を前記表示部に表示させることが可能な動作モードで動作させる工程と、
（ｂ）前記動作モードにおいて、前記複数のアプリケーション対応画像のうちの特定のアプリケーション対応画像が目立つように、前記表示画面を前記表示部に表示させる表示モードで動作させる工程と、
（ｃ）前記表示部に対する操作子による前記表示画面の遷移操作を検出する工程と、
（ｄ）前記動作モードにおいて前記工程（ｃ）で前記遷移操作が検出されたときに、前記表示画面を遷移させる工程と、
（ｅ）前記表示モードにおいて前記工程（ｃ）で検出される前記遷移操作に基づいて、前記表示モードを維持するか否かを決定する工程と、
（ｆ）前記遷移操作が、前記表示部に表示される所定の画像を起点とした操作であるときには、前記複数のアプリケーション対応画像から前記所定の画像に基づいて選択されるアプリケーション対応画像を、前記特定のアプリケーション対応画像とする工程と
を実行させるための制御プログラム。
【請求項２３】
表示部と、アプリケーションプログラムを記憶する記憶部とを有する電子機器の動作方法であって、
（ａ）前記電子機器が、前記表示部が表示する、アプリケーションプログラムに対応付けられたアプリケーション対応画像を含む表示画面を遷移させることによって、複数のアプリケーション対応画像を前記表示部に表示させることが可能な動作モードで動作する工程と、
（ｂ）前記電子機器が、前記動作モードにおいて、前記複数のアプリケーション対応画像のうちの特定のアプリケーション対応画像が目立つように、前記表示画面を前記表示部に表示させる表示モードで動作する工程と、
（ｃ）前記電子機器が、前記表示部に対する操作子による前記表示画面の遷移操作を検出する工程と、
（ｄ）前記電子機器が、前記動作モードにおいて前記工程（ｃ）で前記遷移操作が検出されたときに、前記表示画面を遷移させる工程と、
（ｅ）前記電子機器が、前記表示モードにおいて前記工程（ｃ）で検出される前記遷移操作に基づいて、前記表示モードを維持するか否かを決定する工程と、
（ｆ）前記遷移操作が、前記表示部に表示される所定の画像を起点とした操作であるときには、前記複数のアプリケーション対応画像から前記所定の画像に基づいて選択されるアプリケーション対応画像を、前記特定のアプリケーション対応画像とする工程と
を備える、電子機器の動作方法。
【手続補正２】
【補正対象書類名】明細書
【補正対象項目名】０００４
【補正方法】変更
【補正の内容】
【０００４】
電子機器の一態様は、アプリケーションプログラムを記憶する記憶部と、表示を行う表示部と、前記アプリケーションプログラムに対応付けられたアプリケーション対応画像を前記表示部に表示させる表示制御部と、前記表示部に対する操作子による操作を検出する操作検出部とを備え、前記表示制御部は、前記表示部が表示する、前記アプリケーション対応画像を含む表示画面を遷移させることによって、複数のアプリケーション対応画像を前記表示部に表示させることが可能な動作モードを有し、前記表示制御部は、前記動作モードにおいて、前記操作検出部が前記表示画面の遷移操作を検出したときには、前記表示画面を遷移させ、前記表示制御部は、前記動作モードにおいて、前記複数のアプリケーション対応画像のうちの特定のアプリケーション対応画像が目立つように、前記表示画面を前記表示部に表示させる表示モードを有し、前記表示制御部は、前記表示モードにおいて、前記操作検出部が検出する前記遷移操作に基づいて、前記表示モードを維持するか否かを決定し、前記表示制御部は、前記遷移操作が、前記表示部に表示される所定の画像を起点とした操作であるときには、前記複数のアプリケーション対応画像から前記所定の画像に基づいて選択されるアプリケーション対応画像を、前記特定のアプリケーション対応画像とする。
【手続補正３】
【補正対象書類名】明細書
【補正対象項目名】０００５
【補正方法】変更
【補正の内容】
【０００５】
また、制御プログラムの一態様は、表示部と、アプリケーションプログラムを記憶する記憶部とを有する電子機器を制御するための制御プログラムであって、前記電子機器に、（ａ）前記表示部が表示する、アプリケーションプログラムに対応付けられたアプリケーション対応画像を含む表示画面を遷移させることによって、複数のアプリケーション対応画像を前記表示部に表示させることが可能な動作モードで動作させる工程と、（ｂ）前記動作モードにおいて、前記複数のアプリケーション対応画像のうちの特定のアプリケーション対応画像が目立つように、前記表示画面を前記表示部に表示させる表示モードで動作させる工程と、（ｃ）前記表示部に対する操作子による前記表示画面の遷移操作を検出する工程と、（ｄ）前記動作モードにおいて前記工程（ｃ）で前記遷移操作が検出されたときに、前記表示画面を遷移させる工程と、（ｅ）前記表示モードにおいて前記工程（ｃ）で検出される前記遷移操作に基づいて、前記表示モードを維持するか否かを決定する工程と、（ｆ）前記遷移操作が、前記表示部に表示される所定の画像を起点とした操作であるときには、前記複数のアプリケーション対応画像から前記所定の画像に基づいて選択されるアプリケーション対応画像を、前記特定のアプリケーション対応画像とする工程とを実行させるためのものである。
【手続補正４】
【補正対象書類名】明細書
【補正対象項目名】０００６
【補正方法】変更
【補正の内容】
【０００６】
また、電子機器の動作方法の一態様は、表示部と、アプリケーションプログラムを記憶する記憶部とを有する電子機器の動作方法であって、（ａ）前記電子機器が、前記表示部が表示する、アプリケーションプログラムに対応付けられたアプリケーション対応画像を含む表示画面を遷移させることによって、複数のアプリケーション対応画像を前記表示部に表示させることが可能な動作モードで動作する工程と、（ｂ）前記電子機器が、前記動作モードにおいて、前記複数のアプリケーション対応画像のうちの特定のアプリケーション対応画像が目立つように、前記表示画面を前記表示部に表示させる表示モードで動作する工程と、（ｃ）前記電子機器が、前記表示部に対する操作子による前記表示画面の遷移操作を検出する工程と、（ｄ）前記電子機器が、前記動作モードにおいて前記工程（ｃ）で前記遷移操作が検出されたときに、前記表示画面を遷移させる工程と、（ｅ）前記電子機器が、前記表示モードにおいて前記工程（ｃ）で検出される前記遷移操作に基づいて、前記表示モードを維持するか否かを決定する工程と、（ｆ）前記遷移操作が、前記表示部に表示される所定の画像を起点とした操作であるときには、前記複数のアプリケーション対応画像から前記所定の画像に基づいて選択されるアプリケーション対応画像を、前記特定のアプリケーション対応画像とする工程とを備える。
【国際調査報告】
2015046379.tif 000054
2015046379.tif 000055